(57)【要約】  本開示の特定の態様は、ワイヤレス通信のための方法および装置に関する。より具体的には、本開示の態様は、エンハンスド変調スキームを含む動作モードのインジケーションを提供するための技術に一般的に関する。【選択図】図４
2019502326.tif 000002
【特許請求の範囲】
【請求項１】
ワイヤレス通信のための装置であって、
第１のタイプのデバイスおよび第２のタイプのデバイスによって認識可能であるヘッダ部分を有する第１のフレームを生成することと、および
前記フレームの他の部分が前記第２のタイプのデバイスによってはサポートされるが前記第１のタイプのデバイスによってはサポートされないエンハンスド変調スキームを使用して符号化されるのかどうか、または、
前記エンハンスド変調スキームを使用して符号化される前記フレームの前記部分の長さ、のうちの少なくとも一方を示すために、前記フレームの前記ヘッダ部分のスクランブラーフィールドの第１の値を選択することと、を行うように構成されている、処理システムと、および
送信に関する前記フレームを出力するように構成されている第１のインターフェースと、を備える装置。
【請求項２】
前記第１の値は、
前記フレームの前記他の部分が前記エンハンスド変調スキームを使用して符号化されるのかどうか、および、前記エンハンスド変調スキームを使用して符号化される前記フレームの前記部分の前記長さ、の両方のインジケーションを提供する、請求項１に記載の装置。
【請求項３】
前記処理システムは、前記第１の値に適用されるモジュラス関数が前記エンハンスド変調スキームを使用して符号化される前記フレームの前記部分の前記長さを示すように、前記第１の値を選択するように構成されている、請求項１に記載の装置。
【請求項４】
前記処理システムは、前記ヘッダ部分における少なくとも１ビットを介して、前記フレームの前記他の部分が前記エンハンスド変調スキームを使用して符号化されるかどうかを示すようにさらに構成されている、請求項１に記載の装置。
【請求項５】
前記スクランブラーフィールドの前記第１の値はまた、前記エンハンスド変調スキームを使用して前記フレームの前記他の部分を符号化するときに使用されるコードレートを示す、請求項１に記載の装置。
【請求項６】
前記処理システムは、１３／１６コードレートを含む利用可能なコードレートのセットから前記コードレートを選択するように構成されており、および
前記エンハンスド変調スキームは、１６ＱＡＭを備える、請求項５に記載の装置。
【請求項７】
前記処理システムは、７／８コードレートを含む利用可能なコードレートのセットから前記コードレートを選択するようにさらに構成されている、請求項５に記載の装置。
【請求項８】
受信デバイスから、性能情報を取得するように構成されている第２のインターフェースをさらに備え、および
ここにおいて、前記処理システムは、
前記性能情報に基づいて前記受信デバイスが前記第２のタイプのデバイスであることを決定することと、および
前記決定に応答して、前記受信デバイスに、送信時に前記スクランブラーフィールドの前記第１の値を提供することと、を行うようにさらに構成されている、請求項１に記載の装置。
【請求項９】
前記エンハンスド変調スキームは、６４ＱＡＭを備える、請求項１に記載の装置。
【請求項１０】
ワイヤレス通信のための装置であって、
スクランブラーフィールドを備えたヘッダ部分と他の部分とを有するフレームを取得するように構成されている第１のインターフェースと、
処理システムと、を備え、前記処理システムは、
前記フレームの前記他の部分がエンハンスド変調スキームを使用して符号化されるのかどうか、または、前記エンハンスド変調スキームを使用して符号化される前記フレームの前記部分の長さ、の少なくとも一方を、前記スクランブラーフィールドの第１の値に基づいて、決定することと、
前記決定に基づいて前記フレームの前記他の部分を復号することと、を行うように構成されている、装置。
【請求項１１】
前記処理システムは、前記フレームの前記他の部分が前記エンハンスド変調スキームを使用して符号化されるのかどうか、および、前記エンハンスド変調スキームを使用して符号化される前記フレームの前記部分の前記長さを、前記第１の値から、決定するように構成されている、請求項１０に記載の装置。
【請求項１２】
前記処理システムは、前記第１の値にモジュラス関数を適用することによって前記長さを計算するように構成されている、請求項１０に記載の装置。
【請求項１３】
前記処理システムは、前記ヘッダ部分における少なくとも１ビットを介して、前記フレームの前記他の部分が前記エンハンスド変調スキームを使用して符号化されるかどうかを決定するようにさらに構成されている、請求項１０に記載の装置。
【請求項１４】
前記処理システムは、前記第１の値に基づいて、前記エンハンスド変調スキームを使用して前記フレームの前記他の部分を符号化するために使用されるコードレートを決定するように構成されている、請求項１０に記載の装置。
【請求項１５】
前記処理システムは、前記装置が前記エンハンスド変調スキームをサポートすることができるというインジケーションを提供する他のフレームを生成するようにさらに構成されており、および
前記装置は、送信に関する前記他のフレームを出力するために第２のインターフェースをさらに備える、請求項１０に記載の装置。
【請求項１６】
前記エンハンスド変調スキームは、６４ＱＡＭを備える、請求項１０に記載の装置。
【請求項１７】
装置によるワイヤレス通信のための方法であって、
第１のタイプのデバイスおよび第２のタイプのデバイスによって認識可能であるヘッダ部分を有する第１のフレームを生成することと、
前記フレームの他の部分が前記第２のタイプのデバイスによってはサポートされるが前記第１のタイプのデバイスによってはサポートされないエンハンスド変調スキームを使用して符号化されるのかどうか、または、
前記エンハンスド変調スキームを使用して符号化される前記フレームの前記部分の長さ、のうちの少なくとも一方を示すために、前記フレームの前記ヘッダ部分のスクランブラーフィールドの第１の値を選択することと、および
送信に関する前記フレームを出力することと、を備える方法。
【請求項１８】
前記第１の値は、
前記フレームの前記他の部分が前記エンハンスド変調スキームを使用して符号化されるのかどうか、および、前記エンハンスド変調スキームを使用して符号化される前記フレームの前記部分の前記長さ、の両方のインジケーションを提供する、請求項１７に記載の方法。
【請求項１９】
前記第１の値に適用されるモジュラス関数が前記エンハンスド変調スキームを使用して符号化される前記フレームの前記部分の前記長さを示すように、前記第１の値を選択することをさらに備える、請求項１７に記載の方法。
【請求項２０】
前記ヘッダ部分における少なくとも１ビットを介して、前記フレームの前記他の部分が前記エンハンスド変調スキームを使用して符号化されるかどうかを示すことをさらに備える、請求項１７に記載の方法。
【請求項２１】
前記スクランブラーフィールドの前記第１の値はまた、前記エンハンスド変調スキームを使用して前記フレームの前記他の部分を符号化するときに使用されるコードレートを示す、請求項１７に記載の方法。
【請求項２２】
１３／１６コードレートを含む利用可能なコードレートのセットから前記コードレートを選択することをさらに備え、および
ここにおいて前記エンハンスド変調スキームは、１６ＱＡＭを備える、請求項２１に記載の方法。
【請求項２３】
７／８コードレートを含む利用可能なコードレートのセットから前記コードレートを選択することをさらに備える、請求項２１に記載の方法。
【請求項２４】
性能情報を、受信デバイスから、取得することと、
前記性能情報に基づいて前記受信デバイスが前記第２のタイプのデバイスであることを決定することと、および
前記決定に応答して、前記受信デバイスに、送信時に前記スクランブラーフィールドの前記第１の値を提供することと、をさらに備える、請求項１７に記載の方法。
【請求項２５】
前記エンハンスド変調スキームは、６４ＱＡＭを備える、請求項１７に記載の方法。
【請求項２６】
装置によるワイヤレス通信のための方法であって、
スクランブラーフィールドを備えたヘッダ部分および他の部分を有するフレームを取得することと、
前記フレームの前記他の部分がエンハンスド変調スキームを使用して符号化されるのかどうか、または、前記エンハンスド変調スキームを使用して符号化される前記フレームの前記部分の長さ、の少なくとも一方を、前記スクランブラーフィールドの第１の値に基づいて、決定することと、
前記決定に基づいて前記フレームの前記他の部分を復号することと、を備える、方法。
【請求項２７】
前記フレームの前記他の部分が前記エンハンスド変調スキームを使用して符号化されるのかどうか、および、前記エンハンスド変調スキームを使用して符号化される前記フレームの前記部分の前記長さを、前記第１の値から、決定することをさらに備える、請求項２６に記載の方法。
【請求項２８】
前記第１の値にモジュラス関数を適用することによって前記長さを計算することをさらに備える、請求項２６に記載の方法。
【請求項２９】
前記ヘッダ部分における少なくとも１ビットを介して、前記フレームの前記他の部分が前記エンハンスド変調スキームを使用して符号化されるかどうかを決定することをさらに備える、請求項２６に記載の方法。
【請求項３０】
前記第１の値に基づいて、前記エンハンスド変調スキームを使用して前記フレームの前記他の部分を符号化するために使用されるコードレートを決定することをさらに備える、請求項２６に記載の方法。
【請求項３１】
前記装置が前記エンハンスド変調スキームをサポートすることができるというインジケーションを提供する他のフレームを生成することと、および
送信に関する前記他のフレームを出力することと、をさらに備える請求項２６に記載の方法。
【請求項３２】
前記エンハンスド変調スキームは、６４ＱＡＭを備える、請求項２６に記載の方法。
【請求項３３】
ワイヤレス通信のための装置であって、
第１のタイプのデバイスおよび第２のタイプのデバイスによって認識可能であるヘッダ部分を有する第１のフレームを生成するための手段と、
前記フレームの他の部分が前記第２のタイプのデバイスによってはサポートされるが前記第１のタイプのデバイスによってはサポートされないエンハンスド変調スキームを使用して符号化されるのかどうか、または、
前記エンハンスド変調スキームを使用して符号化される前記フレームの前記部分の長さ、の少なくとも一方を示すために前記フレームの前記ヘッダ部分のスクランブラーフィールドの第１の値を選択するための手段と、および
送信に関する前記フレームを出力するための手段と、を備える装置。
【請求項３４】
前記第１の値は、
前記フレームの前記他の部分が前記エンハンスド変調スキームを使用して符号化されるのかどうか、および、前記エンハンスド変調スキームを使用して符号化される前記フレームの前記部分の前記長さ、
の両方のインジケーションを提供する、請求項３３に記載の装置。
【請求項３５】
前記第１の値に適用されるモジュラス関数が前記エンハンスド変調スキームを使用して符号化される前記フレームの前記部分の前記長さを示すように、前記第１の値を選択するための手段をさらに備える、請求項３３に記載の装置。
【請求項３６】
前記ヘッダ部分における少なくとも１ビットを介して、前記フレームの前記他の部分が前記エンハンスド変調スキームを使用して符号化されるかどうかを示すための手段をさらに備える、請求項３３に記載の装置。
【請求項３７】
前記スクランブラーフィールドの前記第１の値はまた、前記エンハンスド変調スキームを使用して前記フレームの前記他の部分を符号化するときに使用されるコードレートを示す、請求項３３に記載の装置。
【請求項３８】
１３／１６コードレートを含む利用可能なコードレートのセットから前記コードレートを選択するための手段をさらに備え、および
ここにおいて前記エンハンスド変調スキームは、１６ＱＡＭを備える、請求項３７に記載の装置。
【請求項３９】
７／８コードレートを含む利用可能なコードレートのセットから前記コードレートを選択するための手段をさらに備える、請求項３７に記載の装置。
【請求項４０】
性能情報を、受信デバイスから、取得するための手段と、
前記性能情報に基づいて前記受信デバイスが前記第２のタイプのデバイスであることを決定するための手段と、および
前記決定に応答して、前記受信デバイスに、送信時に前記スクランブラーフィールドの前記第１の値を提供するための手段と、をさらに備える、請求項３３に記載の装置。
【請求項４１】
前記エンハンスド変調スキームは、６４ＱＡＭを備える、請求項３３に記載の装置。
【請求項４２】
ワイヤレス通信のための装置であって、
スクランブラーフィールドを備えたヘッダ部分および他の部分を有するフレームを取得するための手段と、
前記フレームの前記他の部分がエンハンスド変調スキームを使用して符号化されるのかどうか、または、前記エンハンスド変調スキームを使用して符号化される前記フレームの前記部分の長さ、の少なくとも一方を、前記スクランブラーフィールドの第１の値に基づいて、決定するための手段と、および
前記決定に基づいて前記フレームの前記他の部分を復号するための手段と、を備える、装置。
【請求項４３】
前記フレームの前記他の部分が前記エンハンスド変調スキームを使用して符号化されるのかどうか、および、前記エンハンスド変調スキームを使用して符号化される前記フレームの前記部分の前記長さを、前記第１の値から、決定するための手段をさらに備える、請求項４２に記載の装置。
【請求項４４】
前記第１の値にモジュラス関数を適用することによって前記長さを計算するための手段をさらに備える、請求項４２に記載の装置。
【請求項４５】
前記ヘッダ部分における少なくとも１ビットを介して、前記フレームの前記他の部分が前記エンハンスド変調スキームを使用して符号化されるかどうかを決定するための手段をさらに備える、請求項４２に記載の装置。
【請求項４６】
前記第１の値に基づいて、前記エンハンスド変調スキームを使用して前記フレームの前記他の部分を符号化するために使用されるコードレートを決定するための手段をさらに備える、請求項４２に記載の装置。
【請求項４７】
前記装置が前記エンハンスド変調スキームをサポートすることができるというインジケーションを提供する他のフレームを生成するための手段と、および
送信に関する前記他のフレームを出力するための手段と、をさらに備える、請求項４２に記載の装置。
【請求項４８】
前記エンハンスド変調スキームは、６４ＱＡＭを備える、請求項４２に記載の装置。
【請求項４９】
無線局であって、
第１のタイプのデバイスおよび第２のタイプのデバイスによって認識可能であるヘッダ部分を有する第１のフレームを生成することと、および
前記フレームの他の部分が前記第２のタイプのデバイスによってはサポートされるが前記第１のタイプのデバイスによってはサポートされないエンハンスド変調スキームを使用して符号化されるのかどうか、または、
前記エンハンスド変調スキームを使用して符号化される前記フレームの前記部分の長さ、のうちの少なくとも一方を示すために、前記フレームの前記ヘッダ部分のスクランブラーフィールドの第１の値を選択することと、
を行うように構成されている処理システムと、および
送信に関する前記フレームを送信するように構成されている送信機と、を備える、無線局。
【請求項５０】
無線局であって、
スクランブラーフィールドを備えたヘッダ部分および他の部分を有するフレームを受信するように構成されている受信機と、
前記フレームの前記他の部分がエンハンスド変調スキームを使用して符号化されるのかどうか、または、前記エンハンスド変調スキームを使用して符号化される前記フレームの前記部分の長さ、の少なくとも一方を、前記スクランブラーフィールドの第１の値に基づいて、決定することと、および
前記決定に基づいて前記フレームの前記他の部分を復号することと、
を行うように構成されている処理システムと、を備える、無線局。
【請求項５１】
第１のタイプのデバイスおよび第２のタイプのデバイスによって認識可能であるヘッダ部分を有する第１のフレームを生成することと、
前記フレームの他の部分が前記第２のタイプのデバイスによってはサポートされるが前記第１のタイプのデバイスによってはサポートされないエンハンスド変調スキームを使用して符号化されるのかどうか、または、
前記エンハンスド変調スキームを使用して符号化される前記フレームの前記部分の長さ、の少なくとも一方を示すために前記フレームの前記ヘッダ部分のスクランブラーフィールドの第１の値を選択することと、および
送信に関する前記フレームを出力することと、を行うための、命令を記憶したコンピュータ可読媒体。
【請求項５２】
スクランブラーフィールドを備えたヘッダ部分および他の部分を有するフレームを取得することと、
前記フレームの前記他の部分がエンハンスド変調スキームを使用して符号化されるのかどうか、または、前記エンハンスド変調スキームを使用して符号化される前記フレームの前記部分の長さ、の少なくとも一方を、前記スクランブラーフィールドの第１の値に基づいて、決定することと、および
前記決定に基づいて前記フレームの前記他の部分を復号することと、を行うための、命令を記憶したコンピュータ可読媒体。
【発明の詳細な説明】
【米国特許法１１９条に基づく優先権の主張】
【０００１】
[0001]  本願は、２０１７年１月１３日に出願された米国特許出願第１５／４０６，６５４号の優先権を主張し、２０１６年１月１５日に出願された米国仮特許出願第６２／２７９，６３７号の利益を主張し、本願の譲受人に譲渡され、参照によって本書に明確に組み込まれる。
【技術分野】
【０００２】
[0002]  本開示の態様は、ワイヤレス通信システムに一般的に関し、およびより具体的には、ワイヤレスデバイスに（例えば、エンハンスド変調スキームを使用して）動作モードを示すための技術に関する。
【背景技術】
【０００３】
[0003]  ６０ＧＨｚの帯域は、多大な帯域幅および広範な世界的規模のオーバーラップを特徴とするアンライセンスされた帯域である。広帯域幅は、超多量の情報がワイヤレスで送信されることができることを意味する。その結果、それぞれ多大なデータの送信を必要とするマルチプルの(multiple)アプリケーションは、６０ＧＨｚの帯域の周囲でワイヤレス通信を可能にするように展開されることができる。このようなアプリケーションの例は、ゲームコントローラ、モバイル対話型デバイス、ワイヤレス高解像度ＴＶ（ＨＤＴＶ）、ワイヤレスドッキングステーション、ワイヤレスギガバイトイーサネット（登録商標）、およびその他多数を含むが、これらに限定されない。
【０００４】
[0004]  このようなアプリケーションを促進させるために、増幅器、ミキサ、無線周波数（ＲＦ）アナログ回路、および６０ＧＨｚの周波数範囲において動作するアクティブなアンテナのような集積回路（ＩＣ）を発展させる必要がある。ＲＦシステムは能動モジュールおよび受動モジュールを典型的に備える。能動モジュール（例えば、パワー増幅器、または他の増幅器）は、それらの動作に関する制御およびパワー信号を必要とし、それらは、受動モジュール（例えば、フィルタ）には必要とされない。さまざまなモジュールは、プリント回路基板（ＰＣＢ）上にアセンブルされることができる(can be assembled)無線周波数集積回路（ＲＦＩＣ）として組立ておよびパッケージされる。ＲＦＩＣパッケージのサイズは、数平方ミリメートルから数百平方ミリメートルの範囲であり得る。
【０００５】
[0005]  家電市場では、電子デバイスのデザイン、かくしてそれに統一されるＲＦモジュールのデザインは、最小のコスト、サイズ、電力消費および重量の制約に応じるべきである。ＲＦモジュールのデザインはまた、ミリ波信号の有効な送信および受信を可能にするために、ラップトップ、およびタブレットコンピュータのような、電子デバイス、および特に携帯デバイスの最新のアセンブルされた構造を考慮に入れるべきである。さらに、ＲＦモジュールのデザインは、ＲＦ信号の受信と送信との最小のパワーロス、および最大の無線カバレッジを構成するべきである。
【発明の概要】
【０００６】
[0006]  本開示の特定の態様は、ワイヤレス通信のための装置を提供する。装置は、第１のタイプのデバイスおよび第２のタイプのデバイスによって認識可能であるヘッダ部分を有するフレームを生成することと、およびフレームの他の部分が第２のタイプのデバイスによってはサポートされるが第１のタイプのデバイスによってはサポートされないエンハンスド変調スキームを使用して符号化されるのかどうか、または、エンハンスド変調スキームを使用して符号化されるフレームの部分の長さを決定するためにフレームの受信機による使用に関する第２の値、のうちの少なくとも一方を示すために、フレームのスクランブラーフィールドの第１の値を選択することと、を行うように構成されている、処理システムと、および送信に関するフレームを出力するように構成されている第１のインターフェースと、を一般的に含む。
【０００７】
[0007]  本開示の特定の態様は、ワイヤレス通信のための装置を提供する。装置は、フレームを取得するように構成されている第１のインターフェースと、およびフレームのヘッダ部分のスクランブラーフィールドの第１の値に基づいて、フレームの他の部分がエンハンスド変調スキームを使用して符号化されるのかどうか、または、エンハンスド変調スキームを使用して符号化されるフレームの部分の長さを決定するために使用するための第２の値、の少なくとも一方を、決定することと、およびその決定に基づいてフレームを処理することと、を行うように構成されている、処理システムと、を一般的に含む。
【０００８】
[0008]  本開示の特定の態様はまた、本書に記述される動作を実施する（または装置に実施させる）ことが可能である、さまざまな他の装置、方法およびコンピュータ可読媒体を提供する。
【図面の簡単な説明】
【０００９】
【図１】[0009]  図１は、本開示の特定の態様にしたがって、例としてのワイヤレス通信ネットワークの図を示す。
【図２】[0010]  図２は、本開示の特定の態様にしたがって、例としてのアクセスポイントおよび局（ＳＴＡ）のブロック図を示す。
【図３】[0011]  図３は、本開示の特定の態様にしたがって、例としてのワイヤレスデバイスのブロック図を示す。
【図４】[0012]  図４は、本開示の特定の態様にしたがって、ワイヤレス通信に関する例としての動作を示す。
【図４Ａ】[0013]  図４Ａは、図４に示された動作を実施することができる例としてのコンポーネントを示す。
【図５】[0014]  図５は、本開示の特定の態様にしたがって、ワイヤレス通信に関する例としての動作を示す。
【図５Ａ】[0015]  図５Ａは、図５に示された動作を実施することができる例としてのコンポーネントを示す。
【図６】[0016]  図６は、本開示の特定の態様にしたがって、動作のモードを示すための例としてのシグナリングメカニズムを示す。
【図７】図７は、本開示の特定の態様にしたがって、動作のモードを示すための例としてのシグナリングメカニズムを示す。
【図８】図８は、本開示の特定の態様にしたがって、動作のモードを示すための例としてのシグナリングメカニズムを示す。
【図９】図９は、本開示の特定の態様にしたがって、動作のモードを示すための例としてのシグナリングメカニズムを示す。
【図１０】図１０は、本開示の特定の態様にしたがって、動作のモードを示すための例としてのシグナリングメカニズムを示す。
【図１１】図１１は、本開示の特定の態様にしたがって、動作のモードを示すための例としてのシグナリングメカニズムを示す。
【図１２】図１２は、本開示の特定の態様にしたがって、動作のモードを示すための例としてのシグナリングメカニズムを示す。
【図１３】図１３は、本開示の特定の態様にしたがって、動作のモードを示すための例としてのシグナリングメカニズムを示す。
【発明を実施するための形態】
【００１０】
[0017]  本開示の特定の態様は、ワイヤレスデバイスに動作モードのインジケーションを提供するための技術を提供する。動作モードは、例えば、（例えばレガシーデバイスによってはサポートされない）エンハンスド変調スキームが使用され得るモードであり得る。
【００１１】
[0018]  開示のさまざまな態様は、添付図面を参照して本書において以下により十分に記述される。しかしながら、本開示は、多くの異なる形態で具現化され得、および本開示全体を通して提示されるいずれかの特定の構造または機能に限定されるものとして解釈されるべきではない。むしろ、これらの態様は、本開示が綿密且つ完全なものとなり、および本開示の範囲を当業者に十分に伝達するように、提供される。本書での教示に基づいて、当業者は、本開示の範囲が、本開示のいずれかの他の態様から独立してインプリメントされようと、または組み合わされてインプリメントされようと、本書に開示される開示のいずれかの態様をカバーすることが意図されていることを理解すべきである。例えば、本書に説明されるいずれかの数の態様を使用して、装置はインプリメントされ得、または方法は実行され得る。さらに、本開示の範囲は、他の構成および機能性、または、本書に説明された開示のさまざまな態様に加えた構成および機能性、または、それらの態様以外の構成および機能性を使用して実行される、そのような装置または方法をカバーすることが意図されている。本書に開示された開示のいずれかの態様は、特許請求の範囲の１つまたは複数の要素によって具現化され得ることが理解されるべきである。
【００１２】
[0019]  特定の態様が本書で記述されるが、これらの態様の多くの変形および置換が、本開示の範囲内に含まれる。好ましい態様のいくつかの利益および利点が記述されるが、本開示の範囲は、特定の利益、使用法、または目的に限定されることが意図されるものではない。むしろ、本開示の態様は、異なるワイヤレス技術、システム構成、ネットワーク、および送信プロトコルに幅広く適用可能であることが意図されており、そのうちのいくつかは、図面および好ましい態様の下記の説明において例として示される。詳細な説明および図面は単に、限定ではなく本開示の例示であり、本開示の範囲は、添付された特許請求の範囲およびそれらの同等物によって定義されている。
例としてのワイヤレス通信システム
【００１３】
[0020]  ここで記述される技術は、直交多重化スキームに基づく通信システムを含む、さまざまなブロードバンドワイヤレス通信システムに関して使用され得る。このような通信システムの例は、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システム、などを含む。ＳＤＭＡシステムは、マルチプルのＳＴＡに属するデータを同時に送信するために、異なる方向を効率よく利用し得る。ＴＤＭＡシステムは、マルチプルのＳＴＡが、異なるタイムスロットに送信信号を分割することにより、同一の周波数チャネルを共有することを可能にし得、各タイムスロットは異なるＳＴＡに割り当てられている。ＯＦＤＭＡシステムは直交周波数分割多重（ＯＦＤＭ）を利用し、それは、マルチプルの直交サブキャリアにシステム帯域幅全体を分割する変調技術である。これらのサブキャリアはまた、トーン、ビンなどと呼ばれ得る。ＯＦＤＭでは、各サブキャリアは、データによって独立して変調され得る。ＳＣ−ＦＤＭＡシステムは、システム帯域幅にわたって分散されるサブキャリアで送信するためにインターリーブドＦＤＭＡ（ＩＦＤＭＡ）を利用し得、隣接サブキャリアの１つのブロックで送信するためにローカライズドＦＤＭＡ（ＬＦＤＭＡ）を利用し得、または、隣接サブキャリアのマルチプルのブロックで送信するためにエンハンスドＦＤＭＡ（ＥＦＤＭＡ）を利用し得る。一般的に、変調シンボルは、ＯＦＤＭでは周波数領域で、およびＳＣ−ＦＤＭＡでは時間領域で送られる。
【００１４】
[0021]  本書における教示は、さまざまなワイヤード(wired)またはワイヤレス装置（例えば、ノード）に組み込まれ（例えば、それらの中にインプリメントされ、またはそれらによって実施され）得る。いくつかの態様では、本書における教示にしたがってインプリメントされたワイヤレスノードは、アクセスポイントまたはＳＴＡを備え得る。
【００１５】
[0022]  アクセスポイント（「ＡＰ」）は、ノードＢ、無線ネットワークコントローラ（「ＲＮＣ」）、発展型ノードＢ（ｅＮＢ）、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、ベーシックサービスセット（「ＢＳＳ」）、拡張サービスセット（「ＥＳＳ」）、無線基地局（「ＲＢＳ」）、またはいくつかの他の専門用語を備え、それらとしてインプリメントされ、または、それらとして知られ得る。
【００１６】
[0023]  アクセス端末（「ＡＴ」）は、加入者局、加入者ユニット、移動局（ＭＳ）、リモート局、リモート端末、ユーザ端末（ＵＴ）、ユーザエージェント、ユーザデバイス、ユーザ機器（ＵＥ）、ユーザ局、またはいくつかの他の専門用語を備え、それらとしてインプリメントされ、または、それらとして知られ得る。いくつかのインプリメンテーションにおいて、アクセス端末は、セルラ電話、コードレス電話、セッション開始プロトコル（「ＳＩＰ」）電話、ワイヤレスローカルループ（「ＷＬＬ」）局、パーソナルデジタルアシスタント（「ＰＤＡ」）、ワイヤレス接続能力を有するハンドヘルドデバイス、局（「ＳＴＡ」）、またはワイヤレスモデムに接続されたいくつかの他の適切な処理デバイスを備え得る。したがって、本書で教示される１つまたは複数の態様は、電話（例えば、セルラ電話またはスマートフォン）、コンピュータ（例えば、ラップトップ）、タブレット、ポータブル通信デバイス、ポータブルコンピューティングデバイス（例えば、パーソナルデータアシスタント）、エンターテイメントデバイス（例えば、音楽または映像デバイス、または衛星ラジオ）、全地球測位システム（ＧＰＳ）デバイス、または、ワイヤレス媒体またはワイヤード媒体を介して通信するように構成されているいずれかの他の適切なデバイスに組み込まれ得る。いくつかの態様では、ノードは、ワイヤレスノードである。そのようなワイヤレスノードは、例えば、ワイヤード通信リンクまたはワイヤレス通信リンクを介した、ネットワーク（例えば、インターネットまたはセルラネットワークのような広域ネットワーク）に関する接続、またはネットワークへの接続を提供し得る。
【００１７】
[0024]  図１は、本開示の態様が実行され得るＡＰおよびＳＴＡを備えた多元接続多入力多出力（ＭＩＭＯ）システム１００を示す。ＭＩＭＯシステム１００は、マルチユーザＭＩＭＯシステム（ＭＵ−ＭＩＭＯ）であり得る。図１には示されていないが、別の例としてのワイヤレス通信は、本開示の態様が実行されることができる単入力単出力（ＳＩＳＯ）であることができる。
【００１８】
[0025]  簡潔にするために、図１にはただ１つのアクセスポイント１１０が示されている。アクセスポイントは、一般的に、ＳＴＡと通信する固定局であり、および基地局またはいくつかの他の専門用語にも言及され得る。ＳＴＡは、固定または可動であり得、および移動局、ワイヤレスデバイス、またはいくつかの他の専門用語としても言及され得る。アクセスポイント１１０は、ダウンリンクおよびアップリンク上で、いずれかの所与の時点で１つまたは複数のＳＴＡ１２０と通信し得る。ダウンリンク（すなわち、順方向リンク）は、アクセスポイントからＳＴＡへの通信リンクであり、およびアップリンク（すなわち、逆方向リンク）は、ＳＴＡからアクセスポイントへの通信リンクである。ＳＴＡはまた、別のＳＴＡとピアツーピア(peer-to-peer)で通信し得る。システムコントローラ１３０は、アクセスポイントに結合し、およびアクセスポイントに関する調整および制御を提供する。
【００１９】
[0026]  以下の開示のいくつかの部分は空間分割多元接続（ＳＤＭＡ）を介して通信することができるＳＴＡ１２０を記述し、特定の態様に関しては、ＳＴＡ１２０はまた、ＳＤＭＡをサポートしないいくつかのＳＴＡを含み得る。したがって、そのような態様に関しては、ＡＰ１１０は、ＳＤＭＡ ＳＴＡおよび非ＳＤＭＡ ＳＴＡの両方と通信するように構成され得る。このアプローチは有利に、マルチプルのバージョンのＳＴＡ（「レガシー」局）が事業展開され続けることを可能にし、それらの耐用年数を延ばし、より新しいＳＤＭＡ ＳＴＡがふさわしいと判断されて導入されることを可能にする。
【００２０】
[0027]  例としてのシステム１００では、アクセスポイント１１０およびＳＴＡ１２０は、ダウンリンクおよびアップリンク上でのデータ送信に関して、マルチプルの送信アンテナおよびマルチプルの受信アンテナを用いることができる。ＳＩＳＯシステムでは、ＡＰ１１０およびＳＴＡ１２０は、送信および受信に関して単一のアンテナのみを用いることができる。示されていないが、本開示の態様が展開されることができる他の例としてのワイヤレス通信システムは、ＳＩＳＯシステム、ＭＵ−ＭＩＭＯシステム、シングルキャリアＭＩＭＯシステム、またはシングルキャリアＭＵ−ＭＩＭＯシステムを含む。ダウンリンクＭＩＭＯ送信に関しては、アクセスポイント１１０のＮａｐ個のアンテナは、ＭＩＭＯの多入力（ＭＩ）部分を表し、Ｋ個のＳＴＡのセットは、ＭＩＭＯの多出力（ＭＯ）部分を表す。逆に、アップリンクＭＩＭＯ送信に関しては、Ｋ個のＳＴＡのセットは、ＭＩ部分を表し、アクセスポイント１１０のＮａｐ個のアンテナは、ＭＯ部分を表す。純粋なＳＤＭＡに関しては、Ｋ個のＳＴＡに関するデータシンボルストリームが、いくつかの手段により、コード、周波数、または、時間で多重化されていない場合に、Ｎａｐ≧Ｋ≧１を有することが望まれる。データシンボルストリームがＴＤＭＡ技術、ＣＤＭＡを用いた異なるコードチャネル、ＯＦＤＭを用いた互いに素なサブバンドのセット、などを使用して多重化されることができる場合、Ｋは、Ｎａｐよりも大きくあり得る。各々の選択されたＳＴＡは、アクセスポイントにユーザ固有のデータを送信し、および／またはアクセスポイントからユーザ固有のデータを受信する。一般的に、各々の選択されたＳＴＡは、１つまたはマルチプル（すなわち、Ｎｕｔ≧１）のアンテナが装備され得る。Ｋ個の選択されたＳＴＡは、同一のまたは異なる数のアンテナを有することができる。
【００２１】
[0028]  ＳＤＭＡシステムは、時分割複信（ＴＤＤ）システムまたは周波数分割複信（ＦＤＤ）システムであり得る。ＴＤＤシステムに関しては、ダウンリンクおよびアップリンクは、同じ周波数帯域を共有する。ＦＤＤシステムに関しては、ダウンリンクおよびアップリンクは、異なる周波数帯域を使用する。ＭＩＭＯシステム１００はまた、送信に関して、シングルキャリアまたはマルチプルのキャリアを利用し得る。各ＳＴＡは、（例えば、コストを低く抑えるために）単一のアンテナが、または（例えば、追加のコストがサポートされることができる場合には）マルチプルのアンテナが装備され得る。ＳＴＡ１２０が、異なるタイムスロットに、送信／受信を分割することにより、同一の周波数チャネルを共有し、各タイムスロットが異なるＳＴＡ１２０に割り当てられている場合、システム１００はまた、ＴＤＭＡシステムであり得る。
【００２２】
[0029]  図２は、本開示の態様が実行され得る、ＭＩＭＯシステム１００における２個のＳＴＡ１２０ｍおよび１２０ｘとアクセスポイント１１０とのブロック図を示す。上述されたように、本書で議論されたローテーション決定技術は、アクセスポイント１１０またはＳＴＡ１２０によって実行され得る。
【００２３】
[0030]  アクセスポイント１１０は、Ｎｔ個のアンテナ２２４ａ乃至２２４ｔが装備されている。ＳＴＡ１２０ｍは、Ｎｕｔ,m個のアンテナ２５２ｍａ乃至２５２ｍｕが装備されており、およびＳＴＡ１２０ｘは、Ｎｕｔ,x個のアンテナ２５２ｘａ乃至２５２ｘｕが装備されている。アクセスポイント１１０は、ダウンリンクに関しては送信エンティティであり、およびアップリンクに関しては受信エンティティである。各ＳＴＡ１２０は、アップリンクに関しては送信エンティティであり、およびダウンリンクに関しては受信エンティティである。本書で使用されるように、「送信エンティティ」は、ワイヤレスチャネルを介してデータを送信することが可能な、独立して動作される装置またはデバイスであり、および「受信エンティティ」は、ワイヤレスチャネルを介してデータを受信することが可能な、独立して動作される装置またはデバイスである。以下の記述において、下付き文字「ｄｎ」はダウンリンクを表し、下付き文字「ｕｐ」はアップリンクを表し、Ｎｕｐ個のＳＴＡは、アップリンク上での同時送信に関して選択され、Ｎｄｎ個のＳＴＡは、ダウンリンク上での同時送信に関して選択され、Ｎｕｐは、Ｎｄｎに等しいことも等しくないこともあり、およびＮｕｐおよびＮｄｎは、各スケジューリング間隔に関して変化することができ、または静的な値でもあり得る。ビームステアリング(beam-steering)またはいくつかの他の空間処理技術は、アクセスポイントおよびＳＴＡにおいて使用され得る。
【００２４】
[0031]  アップリンク上では、アップリンク送信に関して選択された各ＳＴＡ１２０において、送信（ＴＸ）データプロセッサ２８８は、データソース２８６からトラフィックデータを、およびコントローラ２８０から制御データを受信する。ＴＸデータプロセッサ２８８は、そのＳＴＡに関して選択されたレートに関連付けられたコーディングおよび変調スキームに基づいて、そのＳＴＡに関するトラフィックデータを処理（例えば、符号化、インターリーブ、および変調）し、およびデータシンボルストリームを提供する。ＴＸ空間プロセッサ２９０は、データシンボルストリームに空間処理を実施し、およびＮｕｔ，ｍ個のアンテナにＮｕｔ，ｍ個の送信シンボルストリームを提供する。各送信機ユニット（ＴＭＴＲ）２５４は、アップリンク信号を生成するために、それぞれの送信シンボルストリームを受信および処理（例えば、アナログ変換、増幅、フィルタリング、および周波数アップコンバート）する。Ｎｕｔ，ｍ個の送信機ユニット２５４は、Ｎｕｔ，ｍ個のアンテナ２５２からアクセスポイントへの送信に関する、Ｎｕｔ，ｍ個のアップリンク信号を提供する。
【００２５】
[0032]  Ｎｕｐ個のＳＴＡは、アップリンク上での同時送信に関してスケジューリングされ得る。これらのＳＴＡの各々は、それのデータシンボルストリームに空間処理を実施し、および送信シンボルストリームのそれのセットを、アップリンク上でアクセスポイントに送信する。
【００２６】
[0033]  アクセスポイント１１０において、Ｎａｐ個のアンテナ２２４ａ乃至２２４ａｐは、アップリンク上で送信するすべてのＮｕｐ個のＳＴＡからのアップリンク信号を受信する。各アンテナ２２４は、それぞれの受信機ユニット（ＲＣＶＲ）２２２に受信信号を提供する。各受信機ユニット２２２は、送信機ユニット２５４によって実施された処理に対して補完的な処理を実施し、および受信シンボルストリームを提供する。ＲＸ空間プロセッサ２４０は、Ｎａｐ個の受信機ユニット２２２からのＮａｐ個の受信シンボルストリームに受信機空間処理を実施し、およびＮｕｐ個の復元されたアップリンクデータシンボルストリームを提供する。受信機空間処理は、チャネル相関マトリクス反転（ＣＣＭＩ）、最小平均二乗誤差（ＭＭＳＥ）、ソフト干渉除去（ＳＩＣ）、またはいくつかの他の技術にしたがって実施される。各々の復元されたアップリンクデータシンボルストリームは、それぞれのＳＴＡによって送信されたデータシンボルストリームの推定である。ＲＸデータプロセッサ２４２は、復号されたデータを取得するために、そのストリームに関して使用されたレートにしたがって、各復元されたアップリンクデータシンボルストリームを処理（例えば、復調、デインターリーブ、および復号）する。各ＳＴＡに関する復号されたデータは、記憶に関してデータシンク２４４に、および／または、さらなる処理に関してコントローラ２３０に、提供され得る。
【００２７】
[0034]  ダウンリンク上では、アクセスポイント１１０において、ＴＸデータプロセッサ２１０は、ダウンリンク送信に関してスケジューリングされたＮｄｎ個のＳＴＡのために、データソース２０８からトラフィックデータを受信し、コントローラ２３０から制御データを受信し、および場合によってはスケジューラ２３４から他のデータを受信する。さまざまなタイプのデータは、異なる伝送チャネル上で送られ得る。ＴＸデータプロセッサ２１０は、各ＳＴＡに関するトラフィックデータを、そのＳＴＡに関して選択されたレートに基づいて処理（例えば、符号化、インターリーブ、および変調）する。ＴＸデータプロセッサ２１０は、Ｎｄｎ個のＳＴＡにＮｄｎ個のダウンリンクデータシンボルストリームを提供する。ＴＸ空間プロセッサ２２０は、Ｎｄｎ個のダウンリンクデータシンボルストリームに、（本開示において記述されたように、プリコーディングまたはビームフォーミングのような）空間処理を実施し、およびＮａｐ個のアンテナにＮａｐ個の送信シンボルストリームを提供する。各送信機ユニット２２２は、ダウンリンク信号を生成するために、それぞれの送信シンボルストリームを受信および処理する。Ｎａｐ個の送信機ユニット２２２は、Ｎａｐ個のアンテナ２２４からＳＴＡへの送信に関する、Ｎａｐ個のダウンリンク信号を提供する。
【００２８】
[0035]  各ＳＴＡ１２０において、Ｎｕｔ，ｍ個のアンテナ２５２は、アクセスポイント１１０からＮａｐ個のダウンリンク信号を受信する。各受信機ユニット２５４は、関連付けられたアンテナ２５２からの受信信号を処理し、および受信シンボルストリームを提供する。ＲＸ空間プロセッサ２６０は、Ｎｕｔ，ｍ個の受信機ユニット２５４からのＮｕｔ，ｍ個の受信シンボルストリームに受信機空間処理を実施し、およびＳＴＡに復元されたダウンリンクデータシンボルストリームを提供する。受信機空間処理は、ＣＣＭＩ、ＭＭＳＥ、またはいずれかの他の技術にしたがって実施される。ＲＸデータプロセッサ２７０は、ＳＴＡに関する復号されたデータを取得するために、復元されたダウンリンクデータシンボルストリームを処理（例えば、復調、デインターリーブ、および復号）する。
【００２９】
[0036]  各ＳＴＡ１２０において、チャネル推定器２７８は、ダウンリンクチャネル応答を推定し、およびダウンリンクチャネル推定値を提供し、それは、チャネル利得推定値、ＳＮＲ推定値、雑音分散、などを含み得る。同様に、チャネル推定器２２８は、アップリンクチャネル応答を推定し、およびアップリンクチャネル推定値を提供する。各ＳＴＡに関するコントローラ２８０は、典型的に、ＳＴＡに関するダウンリンクチャネル応答マトリクスＨｄｎ，ｍに基づいて、ＳＴＡに関する空間フィルタマトリクスを導出する。コントローラ２３０は、有効アップリンクチャネル応答マトリクスＨｕｐ,ｅｆｆに基づいて、アクセスポイントに関する空間フィルタマトリクスを導出する。各ＳＴＡに関するコントローラ２８０は、アクセスポイントにフィードバック情報（例えば、ダウンリンクおよび／またはアップリンク固有ベクトル、固有値、ＳＮＲ推定値など）を送り得る。コントローラ２３０および２８０はまた、それぞれ、アクセスポイント１１０およびＳＴＡ１２０における、さまざまな処理ユニットの動作を制御する。
【００３０】
[0037]  本開示の特定の態様にしたがって、図２に示されているさまざまなプロセッサは、トレーニング信号および／または本書に記述される技術に関する他の処理に基づいて相対的ローテーションを決定するために、本書に記述されるさまざまな技術を実施するように、ＡＰ１１０および／またはＳＴＡ１２０における動作を、それぞれ、指示し得る。
【００３１】
[0038]  図３は、本開示の態様が実施され得、且つＭＩＭＯシステム１００内で用いられ得るワイヤレスデバイス３０２において利用され得るさまざまなコンポーネントを示す。ワイヤレスデバイス３０２は、本書で記述されるさまざまな方法をインプリメントするように構成され得るデバイスの例である。ワイヤレスデバイス３０２は、アクセスポイント１１０またはＳＴＡ１２０であり得る。
【００３２】
[0039]  ワイヤレスデバイス３０２は、ワイヤレスデバイス３０２の動作を制御するプロセッサ３０４を含み得る。プロセッサ３０４はまた、中央処理装置（ＣＰＵ）と言及され得る。メモリ３０６は、それは、読み取り専用メモリ（ＲＯＭ）とランダムアクセスメモリ（ＲＡＭ）の両方を含み得、プロセッサ３０４に命令およびデータを提供する。メモリ３０６の一部はまた、不揮発性ランダムアクセスメモリ（ＮＶＲＡＭ）を含み得る。プロセッサ３０４は、メモリ３０６内に記憶されたプログラム命令に基づいて、論理および算術演算を典型的に実施する。メモリ３０６における命令は、本書で記述される方法をインプリメントするように実行可能であり得る。プロセッサ３０４は、例えば、相対的ローテーション、および／または本書で記述される技術に関する他の処理を決定するために、図６における動作６００を実施または指示し得る。
【００３３】
[0040]  ワイヤレスデバイス３０２はまた、ワイヤレスデバイス３０２と遠隔地との間でのデータの送信および受信を可能にするために、送信機３１０および受信機３１２を含み得るハウジング３０８を含み得る。送信機３１０および受信機３１２は、トランシーバ３１４に組み合わされ得る。単一のまたは複数の送信アンテナ３１６は、ハウジング３０８に取り付けられ、およびトランシーバ３１４に電気的に結合され得る。ワイヤレスデバイス３０２はまた、（示されていない）マルチプルの送信機と、マルチプルの受信機と、およびマルチプルのトランシーバとを含み得る。トランシーバは、送信および受信の両方に関して（示されているような）単一のアンテナを使用することができ、または、送信および受信に関して種々のアンテナ（示されていない）を使用することができる。
【００３４】
[0041]  ワイヤレスノード３０２は、１つまたは複数のＷＬＡＮおよびＷＷＡＮと通信する際に、マルチプルの送信機、マルチプルの受信機、および／またはマルチプルのトランシーバを使用し得る。さらに、または代替に、ワイヤレスノード３０２は、単一のトランシーバ３１４を介してＷＷＬＡＮと通信し、および、１つまたは複数のＷＬＡＮと通信するためにトランシーバ３１４をチューニングし直す（ＷＷＡＮとチューニングを合わせない（tune away from the WWAN））こともあり得る。
【００３５】
[0042]  ワイヤレスデバイス３０２はまた、トランシーバ３１４によって受信された信号のレベルを検出および定量化するために使用され得る信号検出器３１８を含み得る。信号検出器３１８は、総エネルギー、シンボルごとのサブキャリア当たりのエネルギー、パワースペクトル密度のような信号、および他の信号を検出し得る。ワイヤレスデバイス３０２はまた、信号を処理する際に使用に関するデジタルシグナルプロセッサ（ＤＳＰ）３２０を含み得る。
【００３６】
[0043]  ワイヤレスデバイス３０２のさまざまなコンポーネントは、バスシステム３２２によって共に結合され得、それは、データバスに加えて、電力バス、制御信号バス、およびステータス信号バスを含み得る。
動作モードを示すための例としてのメカニズム
【００３７】
[0044]  上述されたように、本開示の態様は、いくつかのデバイスによってサポートされる動作モードのインジケーションを可能にし得る技術を提供する。技術は、いずれかのタイプのワイヤレスデバイス、例えば、８０２．１１ａｄおよび８０２．１１ａｙのデバイスのような、直交周波数分割多重化（ＯＦＤＭ）およびシングルキャリア（ＳＣ）変調を使用するワイヤレスデバイス、に適用され得る。動作モードは、特定の（「レガシー」と呼ばれる）デバイスによってはサポートされないので、エンハンスド変調スキームと見なされ得るものの使用を含み得る。本書で使用されるように、用語「レガシーデバイス（legacy device）」は、より最近の（later）基準またはより最近のバージョンの基準をサポートする「非レガシー（non-legacy）」デバイスに対して（relative a “non-legacy” device）、より以前の基準またはより以前のバージョンの基準に対応するデバイスに一般的に言及する。そのため、非レガシーデバイスは典型的に、レガシーデバイスに対して１つまたは複数の改良された特徴をサポートする。本書に記述されるさまざまな例では、８０２．１１ａｄに対応するデバイスは、レガシーデバイスと見なされ得、８０２．１１ａｙと対応するデバイスは、非レガシーデバイスと見なされ得る。
【００３８】
[0045]  いくつかのケースでは、非レガシーデバイスは、レガシーデバイスに対してエンハンスド変調およびコード化スキーム（ＭＣＳ）をサポートし得る。例えば、８０２．１１ａｄのような特定の基準にしたがって動作するデバイスは、６４ＱＡＭ（および／または５／８、３／４および１３／１６のような、特定のコードレート）をサポートしないことがある。デバイスがすでに市場にあり、および認証が整った（certification is in place）後に既存の基準に新しいコンステレーションモード（constellation mode）を加えることは、いくらかの課題を呈する。例えば、パケット（またはフレーム）に関して同じ構造を保持すること、しかし同時に、ヘッダを復号し且つフレーム持続時間を知る必要があり得るレガシーデバイスから保護することが望ましいことがある。非レガシーデバイスは、他方で、同じヘッダを使用して新しいペイロード長を決定すること、および残りのフレームを処理することができるように、理想的には既存のヘッダを使用して、正確なＭＣＳおよびレートを決定することが可能である必要がある。
【００３９】
[0046]  本開示の特定の態様は、（例えば、スクランブラーフィールドのような）フレームヘッダ部分の既存のフィールドにおける値の符号化を使用して、このようなモードインジケーションを可能にする。いくつかのケースでは、エンハンスド変調スキーム（例えば、ＱＡＭ６４）をサポートする動作モード、および／または特定の変調スキーム（例えば、７／８または１３／１６コードレート）を有する（レガシーデバイスによってはサポートされない）新しいコードレートは、本書に記述された符号化技術を使用して示され得る。
【００４０】
[0047]  図４は、本開示の特定の態様にしたがって、ワイヤレス通信に関する例としての動作４００を示す。動作４００は、エンハンスド変調スキームおよび／またはコードレートをサポートするいずれかの送信デバイス（例えば、ＡＰまたは非ＡＰのＳＴＡ）によって実施され得る。
【００４１】
[0048]  動作４００は、４０２において、第１のタイプのデバイスおよび第２のタイプのデバイス（例えば、それぞれ、８０２．１１ａｄおよび８０２．１１ａｙデバイス）によって認識可能であるヘッダ部分を有するフレームを生成することによって開始する。
【００４２】
[0049]  ４０４において、フレームのスクランブラーフィールドの第１の値は、フレームの他の部分が第２のタイプのデバイスによってはサポートされるが第１のタイプのデバイスによってはサポートされないエンハンスド変調スキームを使用して符号化されるのかどうか、または、エンハンスド変調スキームを使用して符号化されるフレームの部分の長さを決定するためにフレームの受信機による使用に関する第２の値、のうちの少なくとも一方を示すために、選択される。４０６において、フレームは、送信に関して出力される。
【００４３】
[0050]  図５は、本開示の特定の態様にしたがって、ワイヤレス通信に関する例としての動作５００を示す。動作は、図４に示されている動作４００に対して補完的な動作として見なされ得る。言い換えると、動作５００は、上述された動作４００にしたがって生成されたフレームを処理するために（例えば、非レガシーデバイスによって）実施され得る。
【００４４】
[0051]  示されているように、動作５００は、フレームを取得することによって、５０２において、開始する。５０４において、フレームのヘッダ部分のスクランブラーフィールドの第１の値に基づいて、フレームの他の部分がエンハンスド変調スキームを使用して符号化されるのかどうか、または、エンハンスド変調スキームを使用して符号化されるフレームの部分の長さを決定するために使用するための第２の値、の少なくとも一方の決定が、為される。５０６において、フレームは、その決定に基づいて処理される。
【００４５】
[0052]  図６は、本開示の態様にしたがって、動作モードをシグナリングするためのさまざまなオプションの例を提供する表６００を示す。示されているように、いくつかのオプションは、ヘッダフィールドのいずれかの（事前に）リザーブされたビットを使用しないことがあり、その他は、単一のリザーブされたビットのみを使用し得る。
【００４６】
[0053]  いくつかのケースでは、スクランブラーフィールドの値は、エンハンスド変調スキームが使用されるかどうか、使用される特定のコードレート（ＣＲ）、または、それらの特定の組み合わせ、を示すために選択され得る。
【００４７】
[0054]  例えば、いくつかのケースでは、モジュラス関数（例えば、モジュロ３）に適用されるスクランブラーフィールドの値は、レガシー長さフィールドと併せて、エンハンスド変調スキーム（例えば、６４ＱＡＭ）で符号化された部分の長さを示すために、使用され得る。一例として、６４ＱＡＭがＱＰＳＫの３倍であるので、フレームの符号化された部分の長さを得るために、受信機は単に、長さを調整する方法を知る必要があり得る（例えば、３ｘレガシー＋０．３ｘレガシー−１、または３ｘレガシー−２）。代替として、２ＬＳＢは、これらの３つの値を示すために使用され得る。
【００４８】
[0055]  図６に示されているように、エンハンスド変調スキームの使用は、（例えば、スクランブラーフィールドからの追加のビットを必要としないで）スクランブラーフィールドの追加の値を使用してシグナリングされ得、それは、リザーブされたビットの使用を防ぎ得る。このケースでは、受信機は、フレームが（例えば、任意のスクランブリングシード（scrambling seed）を有する）レガシーデバイスから来るのか、またはコード化されたシードを有する、（エンハンスド変調スキームをサポートすることができる）非レガシーデバイスから来るのかを、知る必要があり得る。
【００４９】
[0056]  いくつかのケースでは、変調スキームおよびコードレートの組み合わせは、スクランブラーフィールドを介してシグナリングされ得る。例えば、コードレート７／８を有する６４ＱＡＭは、スクランブラーフィールドから追加のビットを使用してシグナリングされ得る。下に記述されるように、このようなシグナリングのためのオプションがある。
【００５０】
[0057]  リザーブされたビットが使用されるケースでは、パケットタイプのリザーブされたビットは使用され得、それは、ビームフォーミングトレーニング（ＴＲＮ）フィールドを搬送することからのパケットであり得る。これは、このビットが１つのモードでのみ使用される場合に、容認され得、およびそうでなければ、それは、ビームフォーミングのためのＴＲＮをシグナリングするために使用される。これらは、（例えば、このモードがビームフォーミングの後にのみ使用されると仮定すれば、）６４ＱＡＭに関して必要とされないので、これは、容認され得る。
【００５１】
[0058]  いくつかのケースでは、エンハンスド変調スキームをサポートすること、（およびそれのインジケーション）のためのデバイス性能は、性能情報の交換時に示され得る。いくつかのケースでは、性能は、図７に示されているように、サポートされるＭＣＳセットサブフィールドの複数のフィールドのうちの１つを介して示され得る。
【００５２】
[0059]  サポートされる性能に依存して、図７に示されているフィールドのいくつかは、他の使用に関して利用可能であり得る。例えば、ＯＦＤＭが使用されない場合、ＯＦＤＭフィールドは、サポートされる変調スキームをシグナリングするために使用され得る。例として、「最大ＯＦＤＭ ＴｘＭＣＳ」および「最大ＯＦＤＭ ＲｘＭＣＳ」は、６４ＱＡＭをシグナリングするために使用され得る。
【００５３】
[0060]  図８に示される例にあるように、「０」の値は、６４ＱＡＭがサポートされないことを示し得る。非ゼロの（non-zero）値は、他方では、（６４ＱＡＭにおいてサポートされる）特定のコードレートを示し得る。
【００５４】
[0061]  逆に、図９に示されるように、ＯＦＤＭが使用される場合、シングルキャリア（ＳＣ）フィールドは、サポートされる変調スキームをシグナリングするために使用され得る。示されるように、「最大ＳＣ ＴｘＭＣＳ」および「最大ＳＣ ＲｘＭＣＳ」は、このようなシグナリングのために使用され得る。
【００５５】
[0062]  上述されたように、６４ＱＡＭ変調は、（例えば、図６の表におけるオプション１および２にしたがって、）スクランブラーフィールドの２ＬＳＢによって、または、リザーブされたビットを有するモジュロ３によって、シグナリングされ得る。このようなケースでは、「スクランブラー初期化（Scrambler Initialization）」の値は、基本的に上位５ビットに制限され得る。下位２ビットは、図１０に示される表にしたがって使用され得る。リザーブされたビットの使用のケースでは、シードのモジュロは使用され得る（および２ビットの固定された割り当ては使用されないことがある）。
【００５６】
[0063]  ６４ＱＡＭ７／８のケースは、ＣＲ＝３／４、ＭＣＳ８を有するＱＰＳＫを使用することによってシグナリングされ得る。このようなケースでは（例えば、図６の表におけるオプション３および５にしたがって）、「スクランブラー初期化」の値は、上位３ビットに制限され得る。このようなケースでは、下位４ビットは、図１１に示される表にしたがって使用され得る。オプション３にしたがって、シードのモジュロ「１１」は、４ビットを割り当てる代わりに用いられ得る。
【００５７】
[0064]  ６４ＱＡＭ７／８のケースは、（例えば、図６の表におけるオプション４および６にしたがって、）ＣＲ＝３／４、ＭＣＳ４を有するＢＰＳＫを使用することによってシグナリングされ得る。ＣＲ＝５／８、３／４、１３／１６に関しては、送信機は、それぞれＭＣＳ７、８、９を使用し、およびスクランブラー３ＬＳＢを値：１．．３（またはＬＳＢの代わりにモジュロ３）に設定し得る。ゼロ値は、ＱＰＳＫ変調に関してあり得る。ＣＲ＝７／８に関しては、スクランブラー３ＬＳＢは、値：１．．７（またはＬＳＢの代わりにモジュロ７）に設定され得る。４のＭＣＳの関しては、「スクランブラー初期化」は、上位４ビットに制限され得、下位３ビットは、図１２に示される表にしたがって使用され得る。同様に、ＭＣＳ７．．．９に関しては、下位２ビットは、図１３に示される表にしたがって使用され得る。
【００５８】
[0065]  いくつかのケースでは、本書に記述されるシグナリングは、局が性能情報を交換した後にのみ使用され得る（および、デバイスは、本書に記述されるシグナリングに関してどのフィールドが利用可能であるかを知る）。例えば、両方の局がＳＣ−６４ＱＡＭをサポートする場合のみ、送信機は、共通の利用可能な６４ＱＡＭ変調のうちの１つを選択することが可能であり得る。いくつかのケースでは、「二重の（double）」ＭＣＳの使用（ＭＣＳ７、８、９または４、７、８、９）を含んだすべての送信において、インジケーションは、（上述されたように）スクランブラーシグナリングに後続し得る。他方で、６４ＱＡＭが送信機によってサポートされない場合、スクランブラー制限は課されない。
【００５９】
[0066]  レガシーデバイスは、ゼロに設定された「最大ＯＦＤＭ ＲｘＭＣＳ」および「最大ＯＦＤＭ ＴｘＭＣＳ」、または、１２またはそれより下に設定された最大ＳＣ ＭＣＳのような、特定のフィールドを常に有し得る。ＳＴＡは、それらが性能を交換した後にのみ、６４ＱＡＭフレームを交換し得る。これは、下位互換性を提供し得る。例えば、デバイスがそれらを対象としていないメッセージを受信している場合、そのときヘッダは、完全に許容可能であり得、およびＮＡＶは、実際の送信長を提示し得る。このデバイスがデータを復号しようとするが不履行である場合、６４ＱＡＭシグナリングに起因して、フレームがそのデバイスを対象としていないときのように、それは依然として容認可能である。
【００６０】
[0067]  上述された方法のさまざまな動作は、対応する機能を実施することが可能であるいずれかの適した手段によって実施され得る。手段は、回路、特定用途向け集積回路（ＡＳＩＣ）、またはプロセッサを含むがそれらに限定されるわけではない、さまざまなハードウェアおよび／または（１つまたは複数の）ソフトウェアコンポーネントおよび／または（１つまたは複数の）モジュールを含み得る。一般的に、動作が図中に示されている場合、それらの動作は、同様の参照番号を付した、対応する対照のミーンズプラスファンクションコンポーネントを有し得る。例えば、図４に示されている動作４００は、図４Ａに示されている手段４００Ａに対応し、および図５に示されている動作５００は、図５Ａに示されている手段５００Ａに対応する。
【００６１】
[0068]  取得する（例えば受信する）ための手段は、図２に示されるＵＴ１２０の受信機（例えば、受信機ユニット２５４）および／または（１つまたは複数の）アンテナ２５２、または、図３に示される受信機３１２および／または（１つまたは複数の）アンテナ３１６を備え得る。送信するための手段および出力するための手段は、図２に示されるＳＴＡ１２０の送信機（例えば、トランシーバ２５４の送信機ユニット）および／または（１つまたは複数の）アンテナ２５２、または、図２に示されるアクセスポイント１１０の送信機（例えばトランシーバ２２２の送信機ユニット）および／または（１つまたは複数の）アンテナ２２４であり得る。
【００６２】
[0069]  生成するための手段、検出するための手段、決定するための手段、取得するための手段、選択するための手段、調整するための手段、処理するための手段、再符号化するための手段、推定するための手段、処理するための手段、および／または、適用するための手段は、処理システムを含み得、それは、プロセッサ２６０、２７０、２８８、および２９０、および／またはＵＴ１２０のコントローラ２８０、または図３に描かれているプロセッサ３０４および／またはＤＳＰ３２０のような、１つまたは複数のプロセッサを含み得る。
【００６３】
[0070]  いくつかのケースでは、実際にフレームを送信するのではなく、デバイスは、送信に関するフレームを出力するためのインターフェースを有し得る。例えば、プロセッサは、送信に関する無線周波数（ＲＦ）フロントエンドに、バスインターフェースを介して、フレームを出力し得る。同様に、実際にフレームを受信するのではなく、デバイスは、別のデバイスから受信されるフレームを取得するためのインターフェースを有し得る。例えば、プロセッサは、受信に関するＲＦフロントエンドから、バスインターフェースを介して、フレームを取得（または受信）し得る。
【００６４】
[0071]  特定の態様にしたがって、そのような手段は、ローテーションを決定するために上述された、（例えば、ハードウェアにおいてまたはソフトウェア命令を実行することによって）さまざまなアルゴリズムをインプリメントすることによって対応する機能を実施するように構成されている処理システムによってインプリメントされ得る。
【００６５】
[0072]  本書で使用されるように、用語「決定すること（determining）」は、多種多様な動作を包含する。例えば、「決定すること」は、算出すること、計算すること、処理すること、導出すること、調査すること、ルックアップすること（例えば、表、データベースまたは別のデータ構造においてルックアップすること）、確定すること、以下同様を含み得る。また、「決定すること」は、受信すること（例えば、情報を受信すること）、アクセスすること（例えば、メモリ内のデータにアクセスすること）、以下同様を含み得る。また、「決定すること」は、解決すること、選択すること、選ぶこと、確立すること、以下同様を含み得る。
【００６６】
[0073]  本書で使用されるように、アイテムのリスト「のうちの少なくとも１つ」に言及するフレーズは、単一の構成要素（members）を含む、それらのアイテムのいずれかの組み合わせに言及する。例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに同様の要素の倍数とのいずれかの組み合わせ（例えば、a-a、a-a-a、a-a-b、a-a-c、a-b-b、a-c-c、b-b、b-b-b、b-b-c、c-c、およびc-c-c、またはａ、ｂ、およびｃのいずれかの他の順序）をカバーすることが意図されている。
【００６７】
[0074]  本開示に結びついて記述されたさまざまな例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、離散ゲートまたはトランジスタロジック、離散ハードウェアコンポーネント、あるいはここで記述された機能を実施するように設計されたこれらのいずれかの組み合わせでインプリメントまたは実施され得る。汎用プロセッサは、マイクロプロセッサであり得るが、代替に、プロセッサは、いずれかの商業的に利用可能なプロセッサ、コントローラ、マイクロコントローラ、またはステートマシン（state machine）であり得る。プロセッサはまた、コンピューティングデバイスの組み合わせ、例えば、ＤＳＰとマイクロプロセッサの組み合わせ、複数のマイクロプロセッサ、ＤＳＰコアと連携した１つまたは複数のマイクロプロセッサ、あるいはいずれかの他のそのような構成としてインプリメントされ得る。
【００６８】
[0075]  本開示に結びついて記述された方法またはアルゴリズムのステップは、直接的にハードウェアで、プロセッサによって実行されたソフトウェアモジュールで、またはその２つの組み合わせで、具現化され得る。ソフトウェアモジュールは、当該技術で知られるいずれかの形態の記憶媒体に存在し得る。使用され得る記憶媒体のいくつかの例は、ランダムアクセスメモリ（ＲＡＭ）、読取専用メモリ（ＲＯＭ）、フラッシュメモリ、ＥＰＲＯＭメモリ、ＥＥＰＲＯＭ（登録商標）メモリ、レジスタ、ハードディスク、リムーバブルディスク、ＣＤ−ＲＯＭ、などを含む。ソフトウェアモジュールは、単一の命令、または多くの命令を備え、およびいくつかの異なるコードセグメントにわたって、異なるプログラム間で、およびマルチプルの記憶媒体にわたって、分散され得る。記憶媒体は、プロセッサが記憶媒体から情報を読み取り、および記憶媒体に情報を書き込むことができるように、プロセッサに結合され得る。代替に、記憶媒体はプロセッサに一体化され得る。
【００６９】
[0076]  本書において開示された方法は、記述された方法を達成するための１つまたは複数のステップまたは動作を備える。方法のステップおよび／または動作は、特許請求の範囲から逸脱することなく互いと交換され得る。言い換えれば、ステップまたは動作の特定の順序が明記されない限り、特定のステップおよび／または動作の順序および／または使用は、特許請求の範囲から逸脱することなく修正され得る。
【００７０】
[0077]  記述された機能は、ハードウェア、ソフトウェア、ファームウェア、またはこれらのいずれかの組み合わせでインプリメントされ得る。ハードウェアにおいてインプリメントされる場合、例としてのハードウェア構成は、ワイヤレスノードにおける処理システムを備え得る。処理システムは、バスアーキテクチャでインプリメントされ得る。バスは、処理システムの特定の用途と全体的な設計の制約に依存して、いずれかの数の相互接続バスおよびブリッジを含み得る。バスは、プロセッサ、機械可読媒体、およびバスインターフェースを含むさまざまな回路を共にリンクさせ得る。バスインターフェースは、特に、バスを介して処理システムに、ネットワークアダプタを接続するために使用され得る。ネットワークアダプタは、ＰＨＹレイヤの信号処理機能をインプリメントするために使用され得る。ＳＴＡ１２０（図１参照）のケースでは、ユーザインターフェース（例えば、キーパッド、ディスプレイ、マウス、ジョイスティック、など）もまた、バスに接続され得る。バスはまた、タイミングソース、周辺機器、電圧レギュレータ、電力管理回路、以下同様のようなさまざまな他の回路をリンクさせ得、これらは、当該技術において周知であり、およびしたがってこれ以上記述されない。
【００７１】
[0078]  プロセッサは、バスを管理することと、および機械可読媒体に記憶されているソフトウェアの実行を含む汎用処理とを担い得る。プロセッサは、１つまたは複数の汎用および／または特殊用途プロセッサでインプリメントされ得る。例は、ソフトウェアを実行することができるマイクロプロセッサ、マイクロコントローラ、ＤＳＰプロセッサ、および他の回路を含む。ソフトウェアは、ソフトウェア、ファームウェア、ミドルウェア、マイクロコード、ハードウェア記述言語に言及される場合も、その他の名称に言及される場合も、命令、データ、またはそれらのいずれかの組み合わせを意味するように広く解釈されるべきである。機械可読媒体は、例として、ＲＡＭ（ランダムアクセスメモリ）、フラッシュメモリ、ＲＯＭ（読取専用メモリ）、ＰＲＯＭ（プログラマブル読取専用メモリ）、ＥＰＲＯＭ（消去可能なプログラマブル読取専用メモリ）、ＥＥＰＲＯＭ（電気的に消去可能なプログラマブル読取専用メモリ）、レジスタ、磁気ディスク、光ディスク、ハードドライブ、またはいずれかの他の適切な記憶媒体、またはそれらのいずれかの組み合わせを含み得る。機械可読媒体は、コンピュータプログラム製品において具現化され得る。コンピュータプログラム製品は、パッケージ材料を備え得る。
【００７２】
[0079]  ハードウェアの実装では、機械可読媒体は、プロセッサとは別個の処理システムの一部であり得る。しかしながら、当業者が容易に理解し得るように、機械可読媒体、またはそのうちのいずれかの部分は、処理システムの外部にあり得る。例として、機械可読媒体は、送信回線、データによって変調された搬送波、および／またはワイヤレスノードとは別個のコンピュータ製品を含み得、それらはすべてバスインターフェースを介してプロセッサによってアクセスされ得る。代替として、またはさらに、機械可読媒体、またはそのうちのいずれかの部分は、キャッシュ(cache)および／または汎用レジスタファイルと共にあり得るようなケースでは、プロセッサに統合され得る。
【００７３】
[0080]  処理システムは、プロセッサ機能性を提供する１つまたは複数のマイクロプロセッサと、および機械可読媒体の少なくとも一部を提供する外部メモリとを有する汎用処理システムとして構成され得、すべてが外部バスアーキテクチャを通して他のサポート回路と互いにリンクされている。代替として、処理システムは、単一のチップに組み込まれた、プロセッサと、バスインターフェースと、ユーザインターフェース（アクセス端末のケース）と、サポート回路と、および機械可読媒体の少なくとも一部と、を有するＡＳＩＣ（特定用途向け集積回路）を用いて、または、１つまたは複数のＦＰＧＡ（フィールドプログラマブルゲートアレイ）、ＰＬＤ（プログラマブル論理デバイス）、コントローラ、ステートマシン、ゲートされた(gated)論理、離散ハードウェアコンポーネント、またはいずれかの他の適切な回路、または本開示全体を通して記述されたさまざまな機能性を実施することができるいずれかの回路の組み合わせを用いて、インプリメントされ得る。当業者は、システム全体に課された特定の用途および全体的な設計の制約に依存して、処理システムに関する記述された機能性をどのようにインプリメントすることが最善かを認識するだろう。
【００７４】
[0081]  機械可読媒体は、多数のソフトウェアモジュールを備え得る。ソフトウェアモジュールは、プロセッサによって実行されるときに、さまざまな機能を処理システムに実施させる命令を含む。ソフトウェアモジュールは、送信モジュールと受信モジュールとを含み得る。各ソフトウェアモジュールは、単一の記憶デバイスに存在し得、または、マルチプルの記憶デバイスにわたって分散され得る。例として、トリガイベントが生じる時、ソフトウェアモジュールはハードドライブからＲＡＭにロードされ得る。ソフトウェアモジュールの実行の間、プロセッサは、アクセススピードを上げるために、命令のうちのいくつかをキャッシュにロードし得る。そして、１つまたは複数のキャッシュラインが、プロセッサによる実行に関して、汎用レジスタファイルにロードされ得る。下記においてソフトウェアモジュールの機能性に言及する時、そのような機能性は、そのソフトウェアモジュールからの命令が実行されると、プロセッサによってインプリメントされるということが理解されるであろう。
【００７５】
[0082]  ソフトウェアにインプリメントされる場合、機能は、コンピュータ可読媒体上の１つまたは複数の命令またはコードとして、記憶または送信され得る。コンピュータ可読媒体は、１つの場所から他の場所へのコンピュータプログラムの送信を容易にするいずれかの媒体を含む、コンピュータ記憶媒体および通信媒体の両方を含む。記憶媒体は、コンピュータによってアクセスされることができる利用可能ないずれかの媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、命令またはデータ構造の形態で所望のプログラムコードを記憶または搬送するために使用されることができ、且つコンピュータによってアクセスされることができる、いずれかの他の媒体を備えることができる。また、いずれかの接続は、コンピュータ可読媒体と厳密には呼ばれる。例えば、ソフトウェアが、同軸ケーブル、光ファイバーケーブル、ツイストペア、デジタル加入者回線（ＤＳＬ）、または赤外線（ＩＲ）、無線、およびマイクロ波のようなワイヤレス技術を使用して、ウェブサイト、サーバ、または他の遠隔ソースから送信される場合、この同軸ケーブル、光ファイバーケーブル、ツイストペア、ＤＳＬ、または赤外線、無線、およびマイクロ波のようなワイヤレス技術は、媒体の定義に含まれる。ディスク（disk）およびディスク（disc）は、本書で使用されるように、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は通常、磁気的にデータを再生し、ディスク（disc）は、レーザーを用いて光学的にデータを再生する。したがって、いくつかの態様では、コンピュータ可読媒体は、非一時的なコンピュータ可読媒体（例えば、有体的媒体）を備え得る。さらに、他の態様に関して、コンピュータ可読媒体は、一時的なコンピュータ可読媒体（例えば、信号）を備え得る。上記の組み合わせもまた、コンピュータ可読媒体の範囲内に含まれるべきである。
【００７６】
[0083]  したがって、特定の態様は、ここで提示された動作を実施するためのコンピュータプログラム製品を備え得る。例えば、そのようなコンピュータプログラム製品は、記憶された（および／または符号化された）命令を有するコンピュータ可読媒体を備え得、それらの命令は、本書に記述された動作を実施するために１つまたは複数のプロセッサによって実行可能である。特定の態様に関して、コンピュータプログラム製品は、パッケージ材料を含み得る。
【００７７】
[0084]  さらに、本書で記述された方法および技術を実施するためのモジュールおよび／または他の適切な手段は、ダウンロードされることができる、および／または、そうでなければ、適用可能な場合にＳＴＡおよび／または基地局によって取得されることができることが理解されるべきである。例えば、このようなデバイスは、本書で記述された方法を実施するための手段の転送を容易にするためにサーバに結合されることができる。あるいは、ＳＴＡおよび／または基地局がデバイスに記憶手段を結合または提供する際にさまざまな方法を取得することができるように、本書で記述されたさまざまな方法は、記憶手段（例えば、ＲＡＭ、ＲＯＭ、コンパクトディスク（ＣＤ）またはフロッピーディスクのような物理記憶媒体など）を介して提供されることができる。さらに、本書で記述された方法および技術をデバイスに提供するためのいずれかの他の適切な技術が、利用されることができる。
【００７８】
[0085]  特許請求の範囲は、上記に示されたとおりの構成およびコンポーネントに限定されないことが理解されるべきである。さまざまな修正、変更、および変形は、特許請求の範囲から逸脱することなしに上述された方法および装置の配置、動作および詳細において為され得る。
【図１】
2019502326.tif 000003
【図２】
2019502326.tif 000004
【図３】
2019502326.tif 000005
【図４】
2019502326.tif 000006
【図４Ａ】
2019502326.tif 000007
【図５】
2019502326.tif 000008
【図５Ａ】
2019502326.tif 000009
【図６】
2019502326.tif 000010
【図７】
2019502326.tif 000011
【図８】
2019502326.tif 000012
【図９】
2019502326.tif 000013
【図１０】
2019502326.tif 000014
【図１１】
2019502326.tif 000015
【図１２】
2019502326.tif 000016
【図１３】
2019502326.tif 000017
【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
第１のタイプのデバイスおよび第２のタイプのデバイスによって認識可能であるヘッダ部分を有し且つ他の部分を有する第１のフレームを生成することと、および
前記フレームの前記他の部分が前記第２のタイプのデバイスによってはサポートされるが前記第１のタイプのデバイスによってはサポートされないエンハンスド変調スキームを使用して符号化されるのかどうか、または、
前記エンハンスド変調スキームを使用して符号化される前記フレームの前記部分の長さ、のうちの少なくとも一方を示すために、前記フレームの前記ヘッダ部分のスクランブラーフィールドの第１の値を選択することと、を行うように構成されている、処理システムと、および
送信に関する前記フレームを出力するように構成されている第１のインターフェースと、を備える装置。
【請求項２】
前記第１の値は、
前記フレームの前記他の部分が前記エンハンスド変調スキームを使用して符号化されるのかどうか、および、前記エンハンスド変調スキームを使用して符号化される前記フレームの前記部分の前記長さ、の両方のインジケーションを提供する、請求項１に記載の装置。
【請求項３】
前記処理システムは、前記第１の値に適用されるモジュラス関数が前記エンハンスド変調スキームを使用して符号化される前記フレームの前記部分の前記長さをレガシー長さフィールドと併せて示すように、前記第１の値を選択するように構成されている、請求項１に記載の装置。
【請求項４】
前記処理システムは、前記ヘッダ部分における少なくとも１ビットを介して、前記フレームの前記他の部分が前記エンハンスド変調スキームを使用して符号化されるかどうかを示すようにさらに構成されている、請求項１に記載の装置。
【請求項５】
前記スクランブラーフィールドの前記第１の値はまた、前記エンハンスド変調スキームを使用して前記フレームの前記他の部分を符号化するときに使用されるコードレートを示す、請求項１に記載の装置。
【請求項６】
前記処理システムは、１３／１６コードレートを含む利用可能なコードレートのセットから前記コードレートを選択するように構成されており、および
前記エンハンスド変調スキームは、１６ＱＡＭを備える、請求項５に記載の装置。
【請求項７】
前記処理システムは、７／８コードレートを含む利用可能なコードレートのセットから前記コードレートを選択するようにさらに構成されている、請求項５に記載の装置。
【請求項８】
受信デバイスから、性能情報を取得するように構成されている第２のインターフェースをさらに備え、および
ここにおいて、前記処理システムは、
前記性能情報に基づいて前記受信デバイスが前記第２のタイプのデバイスであることを決定することと、および
前記決定に応答して、前記受信デバイスに、送信時に前記スクランブラーフィールドの前記第１の値を提供することと、を行うようにさらに構成されている、請求項１に記載の装置。
【請求項９】
前記エンハンスド変調スキームは、６４ＱＡＭを備える、請求項１に記載の装置。
【請求項１０】
ワイヤレス通信のための装置であって、
スクランブラーフィールドを備えたヘッダ部分と他の部分とを有するフレームを取得するように構成されている第１のインターフェースと、
処理システムと、を備え、前記処理システムは、
前記フレームの前記他の部分がエンハンスド変調スキームを使用して符号化されるのかどうか、または、前記エンハンスド変調スキームを使用して符号化される前記フレームの前記部分の長さ、の少なくとも一方を、前記スクランブラーフィールドの第１の値に基づいて、決定することと、
前記決定に基づいて前記フレームの前記他の部分を復号することと、を行うように構成されている、装置。
【請求項１１】
前記処理システムは、前記フレームの前記他の部分が前記エンハンスド変調スキームを使用して符号化されるのかどうか、および、前記エンハンスド変調スキームを使用して符号化される前記フレームの前記部分の前記長さを、前記第１の値から、決定するように構成されている、請求項１０に記載の装置。
【請求項１２】
前記処理システムは、前記第１の値にモジュラス関数を適用することおよびレガシー長さフィールドを使用することによって前記長さを計算するように構成されている、請求項１０に記載の装置。
【請求項１３】
前記処理システムは、前記ヘッダ部分における少なくとも１ビットを介して、前記フレームの前記他の部分が前記エンハンスド変調スキームを使用して符号化されるかどうかを決定するようにさらに構成されている、請求項１０に記載の装置。
【請求項１４】
前記処理システムは、前記第１の値に基づいて、前記エンハンスド変調スキームを使用して前記フレームの前記他の部分を符号化するために使用されるコードレートを決定するように構成されている、請求項１０に記載の装置。
【請求項１５】
前記処理システムは、前記装置が前記エンハンスド変調スキームをサポートすることができるというインジケーションを提供する他のフレームを生成するようにさらに構成されており、および
前記装置は、送信に関する前記他のフレームを出力するために第２のインターフェースをさらに備える、請求項１０に記載の装置。
【請求項１６】
前記エンハンスド変調スキームは、６４ＱＡＭを備える、請求項１０に記載の装置。
【請求項１７】
装置によるワイヤレス通信のための方法であって、
第１のタイプのデバイスおよび第２のタイプのデバイスによって認識可能であるヘッダ部分を有し且つ他の部分を有する第１のフレームを生成することと、
前記フレームの前記他の部分が前記第２のタイプのデバイスによってはサポートされるが前記第１のタイプのデバイスによってはサポートされないエンハンスド変調スキームを使用して符号化されるのかどうか、または、
前記エンハンスド変調スキームを使用して符号化される前記フレームの前記部分の長さ、のうちの少なくとも一方を示すために、前記フレームの前記ヘッダ部分のスクランブラーフィールドの第１の値を選択することと、および
送信に関する前記フレームを出力することと、を備える方法。
【請求項１８】
前記第１の値は、
前記フレームの前記他の部分が前記エンハンスド変調スキームを使用して符号化されるのかどうか、および、前記エンハンスド変調スキームを使用して符号化される前記フレームの前記部分の前記長さ、の両方のインジケーションを提供する、請求項１７に記載の方法。
【請求項１９】
前記第１の値に適用されるモジュラス関数が前記エンハンスド変調スキームを使用して符号化される前記フレームの前記部分の前記長さをレガシー長さフィールドと併せて示すように、前記第１の値を選択することをさらに備える、請求項１７に記載の方法。
【請求項２０】
前記ヘッダ部分における少なくとも１ビットを介して、前記フレームの前記他の部分が前記エンハンスド変調スキームを使用して符号化されるかどうかを示すことをさらに備える、請求項１７に記載の方法。
【請求項２１】
前記スクランブラーフィールドの前記第１の値はまた、前記エンハンスド変調スキームを使用して前記フレームの前記他の部分を符号化するときに使用されるコードレートを示す、請求項１７に記載の方法。
【請求項２２】
１３／１６コードレートを含む利用可能なコードレートのセットから前記コードレートを選択することをさらに備え、および
ここにおいて前記エンハンスド変調スキームは、１６ＱＡＭを備える、請求項２１に記載の方法。
【請求項２３】
７／８コードレートを含む利用可能なコードレートのセットから前記コードレートを選択することをさらに備える、請求項２１に記載の方法。
【請求項２４】
性能情報を、受信デバイスから、取得することと、
前記性能情報に基づいて前記受信デバイスが前記第２のタイプのデバイスであることを決定することと、および
前記決定に応答して、前記受信デバイスに、送信時に前記スクランブラーフィールドの前記第１の値を提供することと、をさらに備える、請求項１７に記載の方法。
【請求項２５】
前記エンハンスド変調スキームは、６４ＱＡＭを備える、請求項１７に記載の方法。
【請求項２６】
装置によるワイヤレス通信のための方法であって、
スクランブラーフィールドを備えたヘッダ部分および他の部分を有するフレームを取得することと、
前記フレームの前記他の部分がエンハンスド変調スキームを使用して符号化されるのかどうか、または、前記エンハンスド変調スキームを使用して符号化される前記フレームの前記部分の長さ、の少なくとも一方を、前記スクランブラーフィールドの第１の値に基づいて、決定することと、
前記決定に基づいて前記フレームの前記他の部分を復号することと、を備える、方法。
【請求項２７】
前記フレームの前記他の部分が前記エンハンスド変調スキームを使用して符号化されるのかどうか、および、前記エンハンスド変調スキームを使用して符号化される前記フレームの前記部分の前記長さを、前記第１の値から、決定することをさらに備える、請求項２６に記載の方法。
【請求項２８】
前記第１の値にモジュラス関数を適用することおよびレガシー長さフィールドを使用することによって前記長さを計算することをさらに備える、請求項２６に記載の方法。
【請求項２９】
前記ヘッダ部分における少なくとも１ビットを介して、前記フレームの前記他の部分が前記エンハンスド変調スキームを使用して符号化されるかどうかを決定することをさらに備える、請求項２６に記載の方法。
【請求項３０】
前記第１の値に基づいて、前記エンハンスド変調スキームを使用して前記フレームの前記他の部分を符号化するために使用されるコードレートを決定することをさらに備える、請求項２６に記載の方法。
【請求項３１】
前記装置が前記エンハンスド変調スキームをサポートすることができるというインジケーションを提供する他のフレームを生成することと、および
送信に関する前記他のフレームを出力することと、をさらに備える請求項２６に記載の方法。
【請求項３２】
前記エンハンスド変調スキームは、６４ＱＡＭを備える、請求項２６に記載の方法。
【請求項３３】
ワイヤレス通信のための装置であって、
第１のタイプのデバイスおよび第２のタイプのデバイスによって認識可能であるヘッダ部分を有し且つ他の部分を有する第１のフレームを生成するための手段と、
前記フレームの前記他の部分が前記第２のタイプのデバイスによってはサポートされるが前記第１のタイプのデバイスによってはサポートされないエンハンスド変調スキームを使用して符号化されるのかどうか、または、
前記エンハンスド変調スキームを使用して符号化される前記フレームの前記部分の長さ、の少なくとも一方を示すために前記フレームの前記ヘッダ部分のスクランブラーフィールドの第１の値を選択するための手段と、および
送信に関する前記フレームを出力するための手段と、を備える装置。
【請求項３４】
前記第１の値は、
前記フレームの前記他の部分が前記エンハンスド変調スキームを使用して符号化されるのかどうか、および、前記エンハンスド変調スキームを使用して符号化される前記フレームの前記部分の前記長さ、
の両方のインジケーションを提供する、請求項３３に記載の装置。
【請求項３５】
前記第１の値に適用されるモジュラス関数が前記エンハンスド変調スキームを使用して符号化される前記フレームの前記部分の前記長さをレガシー長さフィールドと併せて示すように、前記第１の値を選択するための手段をさらに備える、請求項３３に記載の装置。
【請求項３６】
前記ヘッダ部分における少なくとも１ビットを介して、前記フレームの前記他の部分が前記エンハンスド変調スキームを使用して符号化されるかどうかを示すための手段をさらに備える、請求項３３に記載の装置。
【請求項３７】
前記スクランブラーフィールドの前記第１の値はまた、前記エンハンスド変調スキームを使用して前記フレームの前記他の部分を符号化するときに使用されるコードレートを示す、請求項３３に記載の装置。
【請求項３８】
１３／１６コードレートを含む利用可能なコードレートのセットから前記コードレートを選択するための手段をさらに備え、および
ここにおいて前記エンハンスド変調スキームは、１６ＱＡＭを備える、請求項３７に記載の装置。
【請求項３９】
７／８コードレートを含む利用可能なコードレートのセットから前記コードレートを選択するための手段をさらに備える、請求項３７に記載の装置。
【請求項４０】
性能情報を、受信デバイスから、取得するための手段と、
前記性能情報に基づいて前記受信デバイスが前記第２のタイプのデバイスであることを決定するための手段と、および
前記決定に応答して、前記受信デバイスに、送信時に前記スクランブラーフィールドの前記第１の値を提供するための手段と、をさらに備える、請求項３３に記載の装置。
【請求項４１】
前記エンハンスド変調スキームは、６４ＱＡＭを備える、請求項３３に記載の装置。
【請求項４２】
ワイヤレス通信のための装置であって、
スクランブラーフィールドを備えたヘッダ部分および他の部分を有するフレームを取得するための手段と、
前記フレームの前記他の部分がエンハンスド変調スキームを使用して符号化されるのかどうか、または、前記エンハンスド変調スキームを使用して符号化される前記フレームの前記部分の長さ、の少なくとも一方を、前記スクランブラーフィールドの第１の値に基づいて、決定するための手段と、および
前記決定に基づいて前記フレームの前記他の部分を復号するための手段と、を備える、装置。
【請求項４３】
前記フレームの前記他の部分が前記エンハンスド変調スキームを使用して符号化されるのかどうか、および、前記エンハンスド変調スキームを使用して符号化される前記フレームの前記部分の前記長さを、前記第１の値から、決定するための手段をさらに備える、請求項４２に記載の装置。
【請求項４４】
前記第１の値にモジュラス関数を適用することおよびレガシー長さフィールドを使用することによって前記長さを計算するための手段をさらに備える、請求項４２に記載の装置。
【請求項４５】
前記ヘッダ部分における少なくとも１ビットを介して、前記フレームの前記他の部分が前記エンハンスド変調スキームを使用して符号化されるかどうかを決定するための手段をさらに備える、請求項４２に記載の装置。
【請求項４６】
前記第１の値に基づいて、前記エンハンスド変調スキームを使用して前記フレームの前記他の部分を符号化するために使用されるコードレートを決定するための手段をさらに備える、請求項４２に記載の装置。
【請求項４７】
前記装置が前記エンハンスド変調スキームをサポートすることができるというインジケーションを提供する他のフレームを生成するための手段と、および
送信に関する前記他のフレームを出力するための手段と、をさらに備える、請求項４２に記載の装置。
【請求項４８】
前記エンハンスド変調スキームは、６４ＱＡＭを備える、請求項４２に記載の装置。
【請求項４９】
無線局であって、
第１のタイプのデバイスおよび第２のタイプのデバイスによって認識可能であるヘッダ部分を有し且つ他の部分を有する第１のフレームを生成することと、および
前記フレームの前記他の部分が前記第２のタイプのデバイスによってはサポートされるが前記第１のタイプのデバイスによってはサポートされないエンハンスド変調スキームを使用して符号化されるのかどうか、または、
前記エンハンスド変調スキームを使用して符号化される前記フレームの前記部分の長さ、のうちの少なくとも一方を示すために、前記フレームの前記ヘッダ部分のスクランブラーフィールドの第１の値を選択することと、
を行うように構成されている処理システムと、および
送信に関する前記フレームを送信するように構成されている送信機と、を備える、無線局。
【請求項５０】
無線局であって、
スクランブラーフィールドを備えたヘッダ部分および他の部分を有するフレームを受信するように構成されている受信機と、
前記フレームの前記他の部分がエンハンスド変調スキームを使用して符号化されるのかどうか、または、前記エンハンスド変調スキームを使用して符号化される前記フレームの前記部分の長さ、の少なくとも一方を、前記スクランブラーフィールドの第１の値に基づいて、決定することと、および
前記決定に基づいて前記フレームの前記他の部分を復号することと、
を行うように構成されている処理システムと、を備える、無線局。
【請求項５１】
第１のタイプのデバイスおよび第２のタイプのデバイスによって認識可能であるヘッダ部分を有し且つ他の部分を有する第１のフレームを生成することと、
前記フレームの前記他の部分が前記第２のタイプのデバイスによってはサポートされるが前記第１のタイプのデバイスによってはサポートされないエンハンスド変調スキームを使用して符号化されるのかどうか、または、
前記エンハンスド変調スキームを使用して符号化される前記フレームの前記部分の長さ、の少なくとも一方を示すために前記フレームの前記ヘッダ部分のスクランブラーフィールドの第１の値を選択することと、および
送信に関する前記フレームを出力することと、を行うための、命令を記憶したコンピュータ可読媒体。
【請求項５２】
スクランブラーフィールドを備えたヘッダ部分および他の部分を有するフレームを取得することと、
前記フレームの前記他の部分がエンハンスド変調スキームを使用して符号化されるのかどうか、または、前記エンハンスド変調スキームを使用して符号化される前記フレームの前記部分の長さ、の少なくとも一方を、前記スクランブラーフィールドの第１の値に基づいて、決定することと、および
前記決定に基づいて前記フレームの前記他の部分を復号することと、を行うための、命令を記憶したコンピュータ可読媒体。
【手続補正２】
【補正対象書類名】明細書
【補正対象項目名】００７８
【補正方法】変更
【補正の内容】
【００７８】
[0085]  特許請求の範囲は、上記に示されたとおりの構成およびコンポーネントに限定されないことが理解されるべきである。さまざまな修正、変更、および変形は、特許請求の範囲から逸脱することなしに上述された方法および装置の配置、動作および詳細において為され得る。
以下に本願発明の当初の特許請求の範囲に記載された発明を付記する。
［Ｃ１］  ワイヤレス通信のための装置であって、
第１のタイプのデバイスおよび第２のタイプのデバイスによって認識可能であるヘッダ部分を有する第１のフレームを生成することと、および
前記フレームの他の部分が前記第２のタイプのデバイスによってはサポートされるが前記第１のタイプのデバイスによってはサポートされないエンハンスド変調スキームを使用して符号化されるのかどうか、または、
前記エンハンスド変調スキームを使用して符号化される前記フレームの前記部分の長さ、のうちの少なくとも一方を示すために、前記フレームの前記ヘッダ部分のスクランブラーフィールドの第１の値を選択することと、を行うように構成されている、処理システムと、および
送信に関する前記フレームを出力するように構成されている第１のインターフェースと、を備える装置。
［Ｃ２］  前記第１の値は、
前記フレームの前記他の部分が前記エンハンスド変調スキームを使用して符号化されるのかどうか、および、前記エンハンスド変調スキームを使用して符号化される前記フレームの前記部分の前記長さ、の両方のインジケーションを提供する、Ｃ１に記載の装置。
［Ｃ３］  前記処理システムは、前記第１の値に適用されるモジュラス関数が前記エンハンスド変調スキームを使用して符号化される前記フレームの前記部分の前記長さを示すように、前記第１の値を選択するように構成されている、Ｃ１に記載の装置。
［Ｃ４］  前記処理システムは、前記ヘッダ部分における少なくとも１ビットを介して、前記フレームの前記他の部分が前記エンハンスド変調スキームを使用して符号化されるかどうかを示すようにさらに構成されている、Ｃ１に記載の装置。
［Ｃ５］  前記スクランブラーフィールドの前記第１の値はまた、前記エンハンスド変調スキームを使用して前記フレームの前記他の部分を符号化するときに使用されるコードレートを示す、Ｃ１に記載の装置。
［Ｃ６］  前記処理システムは、１３／１６コードレートを含む利用可能なコードレートのセットから前記コードレートを選択するように構成されており、および
前記エンハンスド変調スキームは、１６ＱＡＭを備える、Ｃ５に記載の装置。
［Ｃ７］  前記処理システムは、７／８コードレートを含む利用可能なコードレートのセットから前記コードレートを選択するようにさらに構成されている、Ｃ５に記載の装置。
［Ｃ８］  受信デバイスから、性能情報を取得するように構成されている第２のインターフェースをさらに備え、および
ここにおいて、前記処理システムは、
前記性能情報に基づいて前記受信デバイスが前記第２のタイプのデバイスであることを決定することと、および
前記決定に応答して、前記受信デバイスに、送信時に前記スクランブラーフィールドの前記第１の値を提供することと、を行うようにさらに構成されている、Ｃ１に記載の装置。
［Ｃ９］  前記エンハンスド変調スキームは、６４ＱＡＭを備える、Ｃ１に記載の装置。
［Ｃ１０］  ワイヤレス通信のための装置であって、
スクランブラーフィールドを備えたヘッダ部分と他の部分とを有するフレームを取得するように構成されている第１のインターフェースと、
処理システムと、を備え、前記処理システムは、
前記フレームの前記他の部分がエンハンスド変調スキームを使用して符号化されるのかどうか、または、前記エンハンスド変調スキームを使用して符号化される前記フレームの前記部分の長さ、の少なくとも一方を、前記スクランブラーフィールドの第１の値に基づいて、決定することと、
前記決定に基づいて前記フレームの前記他の部分を復号することと、を行うように構成されている、装置。
［Ｃ１１］  前記処理システムは、前記フレームの前記他の部分が前記エンハンスド変調スキームを使用して符号化されるのかどうか、および、前記エンハンスド変調スキームを使用して符号化される前記フレームの前記部分の前記長さを、前記第１の値から、決定するように構成されている、Ｃ１０に記載の装置。
［Ｃ１２］  前記処理システムは、前記第１の値にモジュラス関数を適用することによって前記長さを計算するように構成されている、Ｃ１０に記載の装置。
［Ｃ１３］  前記処理システムは、前記ヘッダ部分における少なくとも１ビットを介して、前記フレームの前記他の部分が前記エンハンスド変調スキームを使用して符号化されるかどうかを決定するようにさらに構成されている、Ｃ１０に記載の装置。
［Ｃ１４］  前記処理システムは、前記第１の値に基づいて、前記エンハンスド変調スキームを使用して前記フレームの前記他の部分を符号化するために使用されるコードレートを決定するように構成されている、Ｃ１０に記載の装置。
［Ｃ１５］  前記処理システムは、前記装置が前記エンハンスド変調スキームをサポートすることができるというインジケーションを提供する他のフレームを生成するようにさらに構成されており、および
前記装置は、送信に関する前記他のフレームを出力するために第２のインターフェースをさらに備える、Ｃ１０に記載の装置。
［Ｃ１６］  前記エンハンスド変調スキームは、６４ＱＡＭを備える、Ｃ１０に記載の装置。
［Ｃ１７］  装置によるワイヤレス通信のための方法であって、
第１のタイプのデバイスおよび第２のタイプのデバイスによって認識可能であるヘッダ部分を有する第１のフレームを生成することと、
前記フレームの他の部分が前記第２のタイプのデバイスによってはサポートされるが前記第１のタイプのデバイスによってはサポートされないエンハンスド変調スキームを使用して符号化されるのかどうか、または、
前記エンハンスド変調スキームを使用して符号化される前記フレームの前記部分の長さ、のうちの少なくとも一方を示すために、前記フレームの前記ヘッダ部分のスクランブラーフィールドの第１の値を選択することと、および
送信に関する前記フレームを出力することと、を備える方法。
［Ｃ１８］  前記第１の値は、
前記フレームの前記他の部分が前記エンハンスド変調スキームを使用して符号化されるのかどうか、および、前記エンハンスド変調スキームを使用して符号化される前記フレームの前記部分の前記長さ、の両方のインジケーションを提供する、Ｃ１７に記載の方法。
［Ｃ１９］  前記第１の値に適用されるモジュラス関数が前記エンハンスド変調スキームを使用して符号化される前記フレームの前記部分の前記長さを示すように、前記第１の値を選択することをさらに備える、Ｃ１７に記載の方法。
［Ｃ２０］  前記ヘッダ部分における少なくとも１ビットを介して、前記フレームの前記他の部分が前記エンハンスド変調スキームを使用して符号化されるかどうかを示すことをさらに備える、Ｃ１７に記載の方法。
［Ｃ２１］  前記スクランブラーフィールドの前記第１の値はまた、前記エンハンスド変調スキームを使用して前記フレームの前記他の部分を符号化するときに使用されるコードレートを示す、Ｃ１７に記載の方法。
［Ｃ２２］  １３／１６コードレートを含む利用可能なコードレートのセットから前記コードレートを選択することをさらに備え、および
ここにおいて前記エンハンスド変調スキームは、１６ＱＡＭを備える、Ｃ２１に記載の方法。
［Ｃ２３］  ７／８コードレートを含む利用可能なコードレートのセットから前記コードレートを選択することをさらに備える、Ｃ２１に記載の方法。
［Ｃ２４］  性能情報を、受信デバイスから、取得することと、
前記性能情報に基づいて前記受信デバイスが前記第２のタイプのデバイスであることを決定することと、および
前記決定に応答して、前記受信デバイスに、送信時に前記スクランブラーフィールドの前記第１の値を提供することと、をさらに備える、Ｃ１７に記載の方法。
［Ｃ２５］  前記エンハンスド変調スキームは、６４ＱＡＭを備える、Ｃ１７に記載の方法。
［Ｃ２６］  装置によるワイヤレス通信のための方法であって、
スクランブラーフィールドを備えたヘッダ部分および他の部分を有するフレームを取得することと、
前記フレームの前記他の部分がエンハンスド変調スキームを使用して符号化されるのかどうか、または、前記エンハンスド変調スキームを使用して符号化される前記フレームの前記部分の長さ、の少なくとも一方を、前記スクランブラーフィールドの第１の値に基づいて、決定することと、
前記決定に基づいて前記フレームの前記他の部分を復号することと、を備える、方法。
［Ｃ２７］  前記フレームの前記他の部分が前記エンハンスド変調スキームを使用して符号化されるのかどうか、および、前記エンハンスド変調スキームを使用して符号化される前記フレームの前記部分の前記長さを、前記第１の値から、決定することをさらに備える、Ｃ２６に記載の方法。
［Ｃ２８］  前記第１の値にモジュラス関数を適用することによって前記長さを計算することをさらに備える、Ｃ２６に記載の方法。
［Ｃ２９］  前記ヘッダ部分における少なくとも１ビットを介して、前記フレームの前記他の部分が前記エンハンスド変調スキームを使用して符号化されるかどうかを決定することをさらに備える、Ｃ２６に記載の方法。
［Ｃ３０］  前記第１の値に基づいて、前記エンハンスド変調スキームを使用して前記フレームの前記他の部分を符号化するために使用されるコードレートを決定することをさらに備える、Ｃ２６に記載の方法。
［Ｃ３１］  前記装置が前記エンハンスド変調スキームをサポートすることができるというインジケーションを提供する他のフレームを生成することと、および
送信に関する前記他のフレームを出力することと、をさらに備えるＣ２６に記載の方法。
［Ｃ３２］  前記エンハンスド変調スキームは、６４ＱＡＭを備える、Ｃ２６に記載の方法。
［Ｃ３３］  ワイヤレス通信のための装置であって、
第１のタイプのデバイスおよび第２のタイプのデバイスによって認識可能であるヘッダ部分を有する第１のフレームを生成するための手段と、
前記フレームの他の部分が前記第２のタイプのデバイスによってはサポートされるが前記第１のタイプのデバイスによってはサポートされないエンハンスド変調スキームを使用して符号化されるのかどうか、または、
前記エンハンスド変調スキームを使用して符号化される前記フレームの前記部分の長さ、の少なくとも一方を示すために前記フレームの前記ヘッダ部分のスクランブラーフィールドの第１の値を選択するための手段と、および
送信に関する前記フレームを出力するための手段と、を備える装置。
［Ｃ３４］  前記第１の値は、
前記フレームの前記他の部分が前記エンハンスド変調スキームを使用して符号化されるのかどうか、および、前記エンハンスド変調スキームを使用して符号化される前記フレームの前記部分の前記長さ、
の両方のインジケーションを提供する、Ｃ３３に記載の装置。
［Ｃ３５］  前記第１の値に適用されるモジュラス関数が前記エンハンスド変調スキームを使用して符号化される前記フレームの前記部分の前記長さを示すように、前記第１の値を選択するための手段をさらに備える、Ｃ３３に記載の装置。
［Ｃ３６］  前記ヘッダ部分における少なくとも１ビットを介して、前記フレームの前記他の部分が前記エンハンスド変調スキームを使用して符号化されるかどうかを示すための手段をさらに備える、Ｃ３３に記載の装置。
［Ｃ３７］  前記スクランブラーフィールドの前記第１の値はまた、前記エンハンスド変調スキームを使用して前記フレームの前記他の部分を符号化するときに使用されるコードレートを示す、Ｃ３３に記載の装置。
［Ｃ３８］  １３／１６コードレートを含む利用可能なコードレートのセットから前記コードレートを選択するための手段をさらに備え、および
ここにおいて前記エンハンスド変調スキームは、１６ＱＡＭを備える、Ｃ３７に記載の装置。
［Ｃ３９］  ７／８コードレートを含む利用可能なコードレートのセットから前記コードレートを選択するための手段をさらに備える、Ｃ３７に記載の装置。
［Ｃ４０］  性能情報を、受信デバイスから、取得するための手段と、
前記性能情報に基づいて前記受信デバイスが前記第２のタイプのデバイスであることを決定するための手段と、および
前記決定に応答して、前記受信デバイスに、送信時に前記スクランブラーフィールドの前記第１の値を提供するための手段と、をさらに備える、Ｃ３３に記載の装置。
［Ｃ４１］  前記エンハンスド変調スキームは、６４ＱＡＭを備える、Ｃ３３に記載の装置。
［Ｃ４２］  ワイヤレス通信のための装置であって、
スクランブラーフィールドを備えたヘッダ部分および他の部分を有するフレームを取得するための手段と、
前記フレームの前記他の部分がエンハンスド変調スキームを使用して符号化されるのかどうか、または、前記エンハンスド変調スキームを使用して符号化される前記フレームの前記部分の長さ、の少なくとも一方を、前記スクランブラーフィールドの第１の値に基づいて、決定するための手段と、および
前記決定に基づいて前記フレームの前記他の部分を復号するための手段と、を備える、装置。
［Ｃ４３］  前記フレームの前記他の部分が前記エンハンスド変調スキームを使用して符号化されるのかどうか、および、前記エンハンスド変調スキームを使用して符号化される前記フレームの前記部分の前記長さを、前記第１の値から、決定するための手段をさらに備える、Ｃ４２に記載の装置。
［Ｃ４４］  前記第１の値にモジュラス関数を適用することによって前記長さを計算するための手段をさらに備える、Ｃ４２に記載の装置。
［Ｃ４５］  前記ヘッダ部分における少なくとも１ビットを介して、前記フレームの前記他の部分が前記エンハンスド変調スキームを使用して符号化されるかどうかを決定するための手段をさらに備える、Ｃ４２に記載の装置。
［Ｃ４６］  前記第１の値に基づいて、前記エンハンスド変調スキームを使用して前記フレームの前記他の部分を符号化するために使用されるコードレートを決定するための手段をさらに備える、Ｃ４２に記載の装置。
［Ｃ４７］  前記装置が前記エンハンスド変調スキームをサポートすることができるというインジケーションを提供する他のフレームを生成するための手段と、および
送信に関する前記他のフレームを出力するための手段と、をさらに備える、Ｃ４２に記載の装置。
［Ｃ４８］  前記エンハンスド変調スキームは、６４ＱＡＭを備える、Ｃ４２に記載の装置。
［Ｃ４９］  無線局であって、
第１のタイプのデバイスおよび第２のタイプのデバイスによって認識可能であるヘッダ部分を有する第１のフレームを生成することと、および
前記フレームの他の部分が前記第２のタイプのデバイスによってはサポートされるが前記第１のタイプのデバイスによってはサポートされないエンハンスド変調スキームを使用して符号化されるのかどうか、または、
前記エンハンスド変調スキームを使用して符号化される前記フレームの前記部分の長さ、のうちの少なくとも一方を示すために、前記フレームの前記ヘッダ部分のスクランブラーフィールドの第１の値を選択することと、
を行うように構成されている処理システムと、および
送信に関する前記フレームを送信するように構成されている送信機と、を備える、無線局。
［Ｃ５０］  無線局であって、
スクランブラーフィールドを備えたヘッダ部分および他の部分を有するフレームを受信するように構成されている受信機と、
前記フレームの前記他の部分がエンハンスド変調スキームを使用して符号化されるのかどうか、または、前記エンハンスド変調スキームを使用して符号化される前記フレームの前記部分の長さ、の少なくとも一方を、前記スクランブラーフィールドの第１の値に基づいて、決定することと、および
前記決定に基づいて前記フレームの前記他の部分を復号することと、
を行うように構成されている処理システムと、を備える、無線局。
［Ｃ５１］  第１のタイプのデバイスおよび第２のタイプのデバイスによって認識可能であるヘッダ部分を有する第１のフレームを生成することと、
前記フレームの他の部分が前記第２のタイプのデバイスによってはサポートされるが前記第１のタイプのデバイスによってはサポートされないエンハンスド変調スキームを使用して符号化されるのかどうか、または、
前記エンハンスド変調スキームを使用して符号化される前記フレームの前記部分の長さ、の少なくとも一方を示すために前記フレームの前記ヘッダ部分のスクランブラーフィールドの第１の値を選択することと、および
送信に関する前記フレームを出力することと、を行うための、命令を記憶したコンピュータ可読媒体。
［Ｃ５２］  スクランブラーフィールドを備えたヘッダ部分および他の部分を有するフレームを取得することと、
前記フレームの前記他の部分がエンハンスド変調スキームを使用して符号化されるのかどうか、または、前記エンハンスド変調スキームを使用して符号化される前記フレームの前記部分の長さ、の少なくとも一方を、前記スクランブラーフィールドの第１の値に基づいて、決定することと、および
前記決定に基づいて前記フレームの前記他の部分を復号することと、を行うための、命令を記憶したコンピュータ可読媒体。
【国際調査報告】
2019502326.tif 000018
2019502326.tif 000019
2019502326.tif 000020